(57)【要約】【課題】操作手段の操作位置を再び所望の位置に合わせることが容易であって遊技者の損失が生じ難い遊技機を提供すること。【解決手段】（ａ）操作ハンドル１８（操作手段）のダイヤル６０２（可動部）が初期位置から操作位置へ移動するのに連動してレール上を摺動（様態が変移）し、（ｂ）このあとダイヤル６０２が初期位置側へ復帰するよう移動してもレール上における位置（変移した様態）が維持されるストッパ６１０（操作量標示手段）を備える構成とする。【選択図】      図４９
2010099301.tif 000002
【特許請求の範囲】
【請求項１】
遊技者により操作され、その操作量に応じて遊技内容を変化させるための操作手段を備え、該操作手段は、遊技者の操作により初期位置と操作位置との間を移動し得る可動部と、該可動部を初期位置側へ付勢する付勢手段とを有する遊技機であって、
前記可動部が初期位置から操作位置へ移動するのに連動して様態が変移し、このあと可動部が初期位置側へ復帰するよう移動しても変移した様態が維持される操作量標示手段を備えることを特徴とする遊技機。
【発明の詳細な説明】
【技術分野】
【０００１】
本発明は、パチンコ機やスロットマシンに代表される遊技機に関するものである。
【背景技術】
【０００２】
遊技機のうち、例えば、パチンコ球を使用するパチンコ機の場合には、操作手段として操作ハンドルを備え、遊技者がこの操作ハンドルを操作する操作量に応じて遊技球の発射強度が変化し、これにより遊技内容が変化するように構成されているのが一般的である。
【０００３】
上記操作ハンドルは通常、遊技者の手動操作により初期位置から任意の操作位置まで回動する「ダイヤル」とも称される環状の部材を備え、このダイヤルは内部にコイルバネが内蔵されて初期位置側へ付勢されており、操作位置で手を離すとこのダイヤルが初期位置に復帰するように構成されている。遊技者は、遊技を開始するときにはダイヤルを初期位置から操作位置まで回動させ、以降、この操作位置を調節することにより遊技球の発射強度を加減しながら遊技を進めることとなる。
【０００４】
このような遊技機としては、例えば、以下の文献に記載のものが挙げられる。
【特許文献１】特開２００８−１３２２１３号公報
【発明の開示】
【発明が解決しようとする課題】
【０００５】
上記のような遊技機においては、例えば遊技者が休憩をとった後に遊技を再開する場合、操作位置をはじめから調節し直す必要があるので、遊技を再開する度に無駄球が出てそのぶん遊技者の損失となりやすい。このため、無駄球を出さないようするために遊技者が硬貨や遊技球等を挟みこんでダイヤルを特定の操作位置に固定することもしばしば行われ、これにより操作ハンドルが破損されたり、あるいは、無駄球が出て損失となることで遊技者が遊技を再開する意欲がそがれて稼働率の低下に繋がったりすることとなる。
【０００６】
本発明は、かかる問題点に鑑みて案出されたものであり、操作手段の操作位置を再び所望の位置に合わせることが容易であって遊技者の損失が生じ難い遊技機を提供することを目的とする。
【課題を解決するための手段】
【０００７】
本発明にかかる遊技機は、上記目的を達成するために、手段１として、
遊技者により操作され、その操作量に応じて遊技内容を変化させるための操作手段を備え、該操作手段は、遊技者の操作により初期位置と操作位置との間を移動し得る可動部と、該可動部を初期位置側へ付勢する付勢手段とを有する遊技機であって、
前記可動部が初期位置から操作位置へ移動するのに連動して様態が変移し、このあと可動部が初期位置側へ復帰するよう移動しても変移した様態が維持される操作量標示手段を備えることを特徴とする。
【０００８】
本発明において、「可動部」には、環状のダイヤルの他、支点を中心に回動するレバーや、さらには、スライド動作するもの等のように、初期位置と操作位置との間を移動し得るものであれば任意のものが含まれる。
また、「操作量標示手段」には、所定の構造物が移動することにより様態が変移するものや、あるいは所定の表示装置による表示内容が変容することにより様態が変移するもの等がいずれも含まれる。
【０００９】
上記手段１の構成によれば、遊技者が特定の操作位置まで可動部を移動させると、これに連動して操作量標示手段の様態が変移し、この後、遊技者が遊技を中断して可動部が初期位置に復帰しても、操作量標示手段が変移した様態に維持される。したがって、遊技再開時にこの操作量標示手段の変移した様態が目安となって、可動部を再び前記特定の操作位置に容易に合わせることができるので、硬貨等で可動部を特定の操作位置に固定しなくとも、無駄球を極力出さずに遊技を再開することが可能となって、遊技者の損失を生じ難くすることができる。
【００１０】
またこのとき、操作量標示手段の様態が可動部の動作に連動して変移するため、可動部を特定の操作位置に合わせるための目安を設定する操作を別に行うことも不要であり、そのぶん操作の手数が増えることもない。
【００１１】
また、本発明にかかる遊技機は、手段２として、手段１の遊技機において、
前記操作量標示手段が、レールの上を摺動することにより様態が変移するものとなっていることを特徴とする。
【００１２】
上記手段２の構成によれば、操作量標示手段の様態が連続的に変移するため操作位置を高精度に標示することができ、またその構成も簡潔とすることができる。
【００１３】
また、本発明にかかる遊技機は、手段３として、手段２の遊技機において、
前記操作量標示手段が、前記レールを、交差する２方向の各方向に沿って挟持するようにして該レール上に摺動可能に支持されていることを特徴とする。
【００１４】
本発明において、「レールを交差する２方向の各方向に沿って挟持する」という場合の「交差する２方向」とは、例えば帯状に延びるレールの場合、厚さ方向と幅方向との２方向のように、レールの断面において互いに異なる（即ち平行でない）２方向のことである。
【００１５】
上記手段３の構成によれば、操作量標示手段がレールによって交差する２方向の各方向に規制されるので、ガタつきもなく安定に支持されることができる。
【００１６】
また、本発明にかかる遊技機は、手段４として、手段２または手段３の遊技機において、
前記操作量標示手段が弾性部材を備え、前記レールに対し両側から弾性部材が所定の圧力で当接していることを特徴とする。
【００１７】
上記手段４の構成によれば、操作量標示手段が、レールに対し所定の摩擦力をもって摺動可能に支持され、これにより、変移した様態すなわちレール上の位置が確実に維持されるようにすることができる。
【００１８】
また、本発明にかかる遊技機は、手段５として、手段２から手段４のいずれかの遊技機において、
前記操作量標示手段がレール上の特定位置で可動部の移動を規制し得ることを特徴とする。
【００１９】
上記手段５の構成によれば、遊技再開時に操作量標示手段で可動部の移動を規制することにより、該可動部を再び特定の操作位置に容易に合わせることができる。
【００２０】
また、本発明にかかる遊技機は、手段６として、手段４または手段５の遊技機において、
前記操作量標示手段が、内部に弾性部材が収容された構成を有することを特徴とする。
【００２１】
上記手段６の構成によれば、劣化等の場合に弾性部材のみを交換することもできる。
【００２２】
また、本発明にかかる遊技機は、手段７として、手段１ないし手段６の遊技機において、
前記操作量標示手段が、可動部と連動することなく元の様態に復帰させることができるようになっていることを特徴とする。
【００２３】
上記手段７の構成によれば、遊技終了後に操作量標示手段を元の様態に戻すようにすることにより、遊技者が遊技を通じて自分が探り当てた特定の操作位置を次の遊技者に利用されないようにすることができる。
【００２４】
また、本発明にかかる遊技機は、手段８として、手段２ないし手段７の遊技機において、
前記操作量標示手段とレールとの間の摩擦力を調節する摩擦力調節機構を備えることを特徴とする。
【００２５】
上記手段８の構成によれば、摩擦力を大とすることにより操作量標示手段の変移した様態（レール上の位置）を確実に維持することができ、一方、摩擦力を小とすることにより操作量標示手段をより容易に元の位置に戻すことができる。
【００２６】
また、本発明にかかる遊技機は、手段９として、手段８の遊技機において、
前記操作量標示手段を元の位置に復帰させる方向に付勢する付勢手段を備えることを特徴とする。
【００２７】
上記手段９の構成によれば、操作量標示手段をさらに容易に元の位置に戻すことができる。
【００２８】
また、本発明にかかる遊技機は、手段１０として、手段１から手段９のいずれかの遊技機において、
遊技機がパチンコ機であることを特徴とする。
【００２９】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【００３０】
パチンコ機にあっては、可動部が初期位置から操作位置へ移動するのに連動して様態が変移し、このあと可動部が初期位置側へ復帰するよう移動しても変移した様態が維持される操作量標示手段を備える構成としたので、操作手段の操作位置を所望の位置に合わせやすく遊技者の損失が生じ難いパチンコ機が得られる。
【００３１】
また、本発明にかかる遊技機は、手段１１として、手段１から手段９のいずれかの遊技機において、
遊技機がスロット機であることを特徴とする。
【００３２】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【００３３】
スロット機にあっては、可動部が初期位置から操作位置へ移動するのに連動して様態が変移し、このあと可動部が初期位置側へ復帰するよう移動しても変移した様態が維持される操作量標示手段を備える構成としたので、操作手段の操作位置を所望の位置に合わせやすく遊技者の損失が生じ難いスロット機が得られる。
【００３４】
また、本発明にかかる遊技機は、手段１２として、手段１から手段９のいずれかの遊技機において、
遊技機がパチンコ機とスロット機を融合させた遊技機であることを特徴とする。
【００３５】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【００３６】
パチンコ機とスロット機を融合させた遊技機にあっては、可動部が初期位置から操作位置へ移動するのに連動して様態が変移し、このあと可動部が初期位置側へ復帰するよう移動しても変移した様態が維持される操作量標示手段を備える構成としたので、操作手段の操作位置を所望の位置に合わせやすく遊技者の損失が生じ難い、パチンコ機とスロット機を融合させた遊技機が得られる。
【発明の効果】
【００３７】
本発明によれば、遊技者により操作され、その操作量に応じて遊技内容を変化させるための操作手段を備え、該操作手段は、遊技者の操作により初期位置と操作位置との間を移動し得る可動部と、該可動部を初期位置側へ付勢する付勢手段とを有する遊技機において、上記可動部が初期位置から操作位置へ移動するのに連動して様態が変移し、このあと可動部が初期位置側へ復帰するよう移動しても変移した様態が維持される操作量標示手段を備える構成としたので、硬貨等で可動部を特定の操作位置に固定しなくとも、無駄球を極力出さずに遊技を再開することが可能となって、遊技者の損失を生じ難くすることができる。
【００３８】
したがって、本発明によって、操作手段の操作位置を再び所望の位置に合わせることが容易であって遊技者の損失が生じ難い遊技機が得られる。
【発明を実施するための最良の形態】
【００３９】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００４０】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００４１】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００４２】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバ
ー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００４３】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００４４】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００４５】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２Ｂ内に嵌まり込むようにして取り付けられている。
つまり、この前面枠１４の側面の少なくとも一部が内枠１２の外側壁（リブ）１２Ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００４６】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４７】
図４に示すように、内枠１２は、外形が矩形状の樹脂ベース２０を主体に構成されており、樹脂ベース２０の中央部には略円形状の窓部孔２１が形成されている。そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース２０（内枠１２）の裏側に当接した状態で取着されている。
【００４８】
従って、遊技盤３０の前面部の略中央部分が樹脂ベース２０の窓部孔２１を通じて内枠１２の前面側に露出した状態となっている（図４では遊技盤３０のアウト口３６が示され
ている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００４９】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００５０】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００５１】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００５２】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００５３】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００５４】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００５５】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００５６】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図５のＳ１，Ｓ２）を貼着することで、遊技盤３０と証紙との一義性を持たせることができる。
【００５７】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。  従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００５８】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００５９】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００６０】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００６１】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００６２】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００６３】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００６４】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００６５】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００６６】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００６７】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００６８】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００６９】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００７０】
（パチンコ機の背面構成）
図６及び図７は、パチンコ機１０の背面図と、外枠１１から内枠１２を開き、内枠１２からセット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００７１】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００７２】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００７３】
図５に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００７４】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００７５】
第１制御基板ユニット２０１は、遊技盤３０の裏面側に配設され、略Ｌ字状をなす取付台を有し、この取付台に主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケース２０１Ａに収容された構成とされる。
【００７６】
第２制御基板ユニット２０２は、取付台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００７７】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００７８】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７９】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００８０】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００８１】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００８２】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、モニターＬＥＤ（図示せず）が消灯し、状態表示（図示せず）が「１」を点滅表示する。
【００８３】
（下受け皿満タン）
下受け皿満タンの報知は、図１に示す右コーナーＬＥＤ８１３が点灯し、モニターＬＥＤ（図示せず）が消灯する。そして、状態表示（図示せず）が「２」を点滅表示する。
【００８４】
（払出ユニット異常）
払出モーター駆動中にも関わらず払出カウントスイッチに遊技球の通過がない状態を示すもので、右コーナーＬＥＤ８１０が点灯し、モニターＬＥＤ（図示せず）が消灯し、状態表示（図示せず）が、「３」を点滅表示する。
【００８５】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００８６】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、モニターＬＥＤ（図示せず）及びモニターＬＥＤ（図示せず）が消灯する。そして、遊技球等貸出装置通信異常は、前記状態表示（図示せず）が「Ｕ」を点滅表示する。
また、コマンド異常は、ハーネスの破損等によるコマンド不良を示すもので、前記状態表示（図示せず）が「Ｃ」を点滅表示する（電源投入時にコマンド異常になった場合は点灯表示）。更に、コネクタ未接続は、モニターＬＥＤ（図示せず）が消灯する（ただし、発射動作中は点滅する）。
尚、図６において、８２０は、電源スイッチを示す。
【００８７】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００８８】
前記第１制御基板ユニット２０１は、第１制御基板ユニット２０１Ａ、後述の開閉機構４１０および連結取付台座部材４３０を含み、第１制御基板ユニット２０１Ａは、第１制御基板ユニット２０１の主要部をなす部材であり、図８乃至図１６に示すように、外側ケース７０および内側ケース８５を含む。この実施例では、外側ケース７０が主制御装置２６１の制御基板８０を収容する容積のある方であり、内側ケース８５がその蓋体に相当する方である。上記外側ケース７０および内側ケース８５は第１ケースおよび第２ケースに相当するものであるが、外側ケース７０および内側ケース８５のうちいずれを第１ケースとしいずれを第２ケースとするかは任意である。
この第１制御基板ユニット２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１制御基板ユニット２０１Ａを破壊するか或いは所定の部位を切断することを必要とするものである。
【００８９】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【００９０】
図８は、遊技球が流下する遊技領域を前面側に形成してある遊技盤３０の裏面の斜視図である。図９は、第１制御基板ユニット２０１Ａを開閉機構４１０から取り外した状態を示す。
【００９１】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１６に示すようにそのコの字の底板部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００９２】
前記第１部材としての支持体４１２のコの字の底板部分にはネジ孔が設けられ、図１６に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結取付台座部材４３０に対する）に構成され、その第１係合部４１４には、図１７に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【００９３】
上記構造とすることにより、球集合板４６０を遊技盤３０に取り付けた後は支持体４１２が外側から取り外せない状態となるので、例えば後述する第１制御基板ユニット２０１Ａを不正に取り外したりすることがより困難となる。
【００９４】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【００９５】
破断ネジは、螺合させて締結（本締め）するのに必要な程度のトルクで回転させて締結した後、さらに大きい所定の高トルクで回転させると破断する破断部を備えるネジであり、具体的には例えば図１５に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【００９６】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１７に示すように、前記支持体４１２に枢支連結される一枚の支持板からなる支持部４１３Ａが形成されており、その支持部４１３Ａは、ブラケット本体部から直角に折り曲げられて側面視で門型に形成されている。
【００９７】
尚、前記第１制御基板ユニット２０１Ａは、既述の通り、外側封印部７１を備える外側ケース７０と内側封印部８６を備える内側ケース８５を有し、主に外側ケース７０の内部に遊技を制御する制御基板を収容する構成のものである。
【００９８】
次に、図９乃至図１９に基づいて、連結取付台座部材４３０について述べる。
この連結取付台座部材４３０は、前記開閉機構４１０と前記第１制御基板ユニット２０１Ａとにそれぞれ連結されるものであり、言わば従来から用いられていた基板ケースを取り付けるための取付台座に相当するものであって、合成樹脂で成型されており、ここでは、幅は、前記第１制御基板ユニット２０１Ａの幅と実質的に同じ幅（約１５０ｍｍ）で、長さが約４８ｍｍ（第１制御基板ユニット２０１Ａの長手方向に向かう長さ）、厚みが１３ｍｍ、肉厚は、２ｍｍのものであり、第１制御基板ユニット２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【００９９】
前記第１制御基板ユニット２０１Ａのうち、前記連結取付台座部材４３０と連結封止される部位である第１取付台座封止部４５０が、その内側ケース８５の端部に設けられており、ここでは該第１制御基板ユニット２０１Ａの幅方向に、所定の間隔を隔てて４個突設されている。この第１取付台座封止部４５０は、外側ケース７０の外側封印部７１と内側ケース８５の内側封印部８６との位置と平面視で位相がずれるように変位して配置されており
、従って、第１制御基板ユニット２０１Ａを背面から（遊技機の背面から）見たときに、前記外側封印部７１と内側封印部８６に重なることなく、視認できる状態にある。  即ち、前記外側封印部７１と内側封印部８６の位置する側に前記第１取付台座封止部４５０が配置され、且つ、前記第１制御基板ユニット２０１Ａの背面視（正面）において、前記第１取付台座封止部４５０が見えるように前記外側および内側封印部７１、８６と平面位相をずらせて配置されているのである。
【０１００】
そして、前記連結取付台座部材４３０には、前記第１制御基板ユニット２０１Ａの前記第１取付台座封止部４５０と連結封止される部位である第２取付台座封止部４３２が、ここでは、４個が、前記４個の第１取付台座封止部４５０と対応する位置に突設されている。この１個の第２取付台座封止部４３２の構造は、この連結取付台座部材４３０の本体に繋がるリブに、有底のネジ止め凹部を有する突起体が一体成型されており、そのリブの底面と有底板分の底面は面一で、且つ、前記収容部４３１のリブ及び周壁のレベルと面一とされている。
そして、前記第１、及び第２取付台座封止部４５０、４３２は、破断ネジを用いて連結封止される。
【０１０１】
前記連結取付台座部材４３０の内部に、前記開閉機構４１０の前記第１係合部４１４と係合する部位である第２係合部４３３が設けられる。この第２係合部４３３は、この実施例では、後述する第１被覆部材４３０Ａとは別体成型の第２被覆部材４３０Ｂに取り付けられる。勿論、別体の第２被覆部材４３０Ｂが存在せず、第２係合部４３３が連結取付台座部材４３０の樹脂成型時に埋め込まれたり、或いは、それ自体の弾性変形を利用して、連結取付台座部材４３０に形成された挿入部４３４の内部に挿入設置されるように構成されてもよいものである。
【０１０２】
前記第２係合部４３３は、ここでは、弾性を備えた一枚の薄い板体（鋼板）を折曲成形して構成されている。即ち、概略縦長の長方形の板体の一方長辺に沿って延びる帯状部を直角に折曲し、さらにこの帯状部の両端部を内側方向（板体の他方長辺側方向）へ９０度未満の小角度（例えば２０〜６０度程度）だけ折曲して弾性係合爪を形成した構成となっている。一方、前記第１係合部４１４は、金属製の平板状体で構成され、そこに切り欠き係合部４１５が形成され、該切り欠き係合突片部４１５に前記第２係合部４３３の係合爪を係合させることによって、抜け出し防止の規制機構４４０Ｄが構成されている。そして、前記開閉機構４１０の前記第１係合部４１４を挿入して前記連結台座部材４３０の内部の前記第２係合部４３３に係合させるために前記連結台座部材４３０に、挿入部４３４が形成されている。
【０１０３】
このように、前記規制機構４４０Ｄは、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【０１０４】
なお図１０には、図示を明確化するため、第１係合部４１４を前記挿入部４３４に挿入した状態で、第２部材すなわちブラケット４１３ごと第１制御基板ユニット２０１Ａが球集合板４６０から分離した状態が示されているが、実際のパチンコ機１０においては、ブラケット４１３は第１制御基板ユニット２０１Ａ側（連結取付台座部材４３０）よりも先に、球集合板４６０側（第１部材すなわち支持体４１２）に取り付けられた構造となっている。
【０１０５】
ここで、更に、前記連結取付台座部材４３０について詳述する。前記第２係合部４３３を被覆するべく前記連結取付台座部材４３０には、第１被覆部材４３０Ａと第２被覆部材４３０Ｂが備えられている。第１被覆部材４３０Ａが前記連結取付台座部材４３０に一体形成されたもので、第２被覆部材４３０Ｂは、前記連結取付台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【０１０６】
そして、この第２被覆部材４３０Ｂに、前記第２係合部４３３が設けられるが、その第２係合部４３３の薄板を、第２被覆部材４３０Ｂに形成した係止突片４３０Ｃに、その入口の側からスライド挿入して係止させ、且つ、ネジ止めされる。
前記第２被覆部材４３０Ｂは、前記第１被覆部材４３０Ａよりも小さく構成され、前記連結取付台座部材４３０と前記第１制御基板ユニット２０１Ａとが連結した状態においては、前記第２被覆部材４３０Ｂの取り外し方向側に前記第１制御基板ユニット２０１Ａが位置された状態となり、前記第１制御基板ユニット２０１Ａと前記第１被覆部材４３０Ａとにより被覆された状態となるように構成されているものである。
【０１０７】
また、前記連結取付台座部材４３０は、前記第１制御基板ユニット２０１Ａよりも小さく構成され、前記第１制御基板ユニット２０１Ａのうち、基板裏面側で一端側に寄せて連結されるように構成されているものである。
【０１０８】
更に、上述した通り、前記第１及び第２被覆部材４３０Ａ、４３０Ｂを透明樹脂により成型し、これらに被覆される第２係合部４３３を金属製の係合部材により構成してある。
前記第１制御基板ユニット２０１Ａの側面に、係止リブ４２０、４２０、４２０が前記連結取付台座部材４３０の略周部に沿って配置されて突出するように備えられ、該係止リブ４２０、４２０、４２０に所定の方向、即ち、第１制御基板ユニット２０１Ａの裏面に沿って第１、第２取付台座封止部や第１連結部の位置する側から第１制御基板ユニット２０１Ａの中央側に向けてスライド移動させることによって、係合するリブ係合部４３５が前記連結取付台座部材４３０の側部に設けられると共にその一つの係止リブ４２０が、前記連結取付台座部材４３０の収容部４３１の周壁の内側に形成されたリブ係合部４３６に係合するように設けられている。
【０１０９】
前述の別体構成の前記第２被覆部材４３０Ｂの両側部にカム面を備えた係合片４３０Ｄ、４３０Ｄが突設され、前記連結取付台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結取付台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【０１１０】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２取付台座封止部４５０、４３２により連結封止することによって、第１制御基板ユニット２０１を不正品に交換されることを防止できる。
【０１１１】
更に、連結取付台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１制御基板ユニット２０１Ａおよび開閉機構４１０、即ち第１制御基板ユニット２０１ごと不正に持ち去ることを防止できるのである。
【０１１２】
次に、第１被覆部材４３０Ａが前記連結取付台座部材４３０に一体形成されるのに対し、第２被覆部材４３０Ｂが前記連結取付台座部材４３０に組み合わせるよう別体構成とされることで、第２係合部４３３を被覆することを行い得ながら、第２係合部４３３を第２被覆部材４３０Ｂに備えておいて、これを後に組み合わせるという作業で、この、第２係合部４３３を前記連結取付台座部材４３０の内部に備えることができる。
【０１１３】
また、前記連結取付台座部材４３０と前記第１制御基板ユニット２０１Ａとが連結した状態においては、第２被覆部材４３０Ｂが前記第１制御基板ユニット２０１Ａの側に位置して、前記第１被覆部材４３０Ａとで挟まれた状態となって第２係合部４３３の被覆が行われ、その被覆が容易に外れない。
【０１１４】
更に、連結取付台座部材４３０は、前記第１制御基板ユニット２０１Ａよりも小さく構成され、前記第１制御基板ユニット２０１Ａのうち、基板裏面側で一端側に寄せて連結される構成であるので、従来のような基板ケースと同等の大型の取付台座を必要とすることがない状態で、その第１制御基板ユニット２０１Ａの開閉を行い得るのである。
【０１１５】
更に、前記第１及び第２被覆部材４３０Ａ、４３０Ｂを透明樹脂により成型し、これらに被覆される第２係合部４３３を金属製の係合部材により構成してあることで、第１係合部４１４と第２係合部４３３の係合状態が確実におこなわれているかどうか外部から視認でき、また、強固な係合がされていることが視認されることで、安易な取り外しが行われないようにすることができる。
【０１１６】
また、前記第２係合部４３３を板金で構成してその一部を変形させることで第１係合部４１４に対する係合を行う構成であるので、極めて構造が簡単であり、同時に、係合状態の解除が容易に行われないものである。
【０１１７】
更に、挿入部４３４の入口をテーパ状として、且つ、案内リブを設けることで、第１係合部４１４の挿入を容易にすることができると共に内部への侵入がガイドされてスムースに行い得るのである。
【０１１８】
また、外側ケース７０の前記外側封印部７１と内側ケース８５の内側封印部８６の位置する側に前記第１取付台座封止部４５０及び第２取付台座封止部４３２が配置されるものの、前記第１、及び第２取付台座封止部４５０、４３２が見えるように前記外側および内側封印部と平面位相をずらせて配置されていることで、前記第１、及び第２取付台座封止部４５０、４３２が前記第１制御基板ユニット２０１Ａの背面視（正面）において、視認可能となり、前記第１、及び第２取付台座封止部４５０、４３２が不正に解除されているかどうか容易に分かるのである。
【０１１９】
また、第１制御基板ユニット２０１Ａの側面に、係止リブ４２０を突出するように設け、前記連結取付台座部材４３０を係止させて位置決めすることができ、その後の前記第１取付台座封止部４５０及び第２取付台座封止部４３２の連結が行い易いのである。
【０１２０】
更に、前記第２被覆部材４３０Ｂを連結取付台座部材４３０に取り付けるに、第２被覆部材４３０Ｂのカム面を備えた係合片４３０Ｄと、連結取付台座部材４３０の前記係合片４３０Ｄに係合する係合部４３０Ｅの存在によって、第２被覆部材４３０Ｂを連結取付台座部材４３０に向けて押圧するだけで、素材の弾性変形でもって係合が行われることになり、簡単に組み付けができる。
【０１２１】
また、連結取付台座部材４３０に、破断ネジ４３９を収容する収容部４３１を設けることで、第１制御基板ユニット２０１Ａの定期検査等で封止を解いた後に、そこから破断ネジ４３９をとり出して、再び新たな第１取付台座封止部４５０と第２取付台座封止部４３２との封止を行うことができる。
【０１２２】
（開閉機構の一部変形例）
上記開閉機構４１０の他端側である第２部材、第１、第２取付台座封止部４５０,４３２を、破断ネジで連結させてもよい。
【０１２３】
また、第１取付台座封止部４５０に形成された切断部４５０Ａ（図９他参照）を切断して、破断ネジは第２取付台座封止部及び第２部材に残すようにすれば連結封止を解除できる。  更に、別の変形例として、第１、第２連結部の両方に切断部を形成し、破断ネジを第２部材に残すようにしてもよい。
【０１２４】
また、この例では、第１係合部４１４を構成する金属製の平板状体を方形状に打ち抜いて開口係合部４１７が形成されており、該開口係合部４１７に前記第２係合部４３３の舌片４３３ｄの係合爪を係合させることによって、抜け出し防止の規制機構４４０Ｄが構成されている。
【０１２５】
遊技盤３０の裏面と第１制御基板ユニット２０１との間には、カバー部材５０１が介装されている。図１４及び図１６に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記カバー部材５０１は、この球集合板４６０と第１制御基板ユニット２０１との間の間隙を補填するためのものであり、当該間隙にほぼ対応した寸法を有するものとなっている。
【０１２６】
上記カバー部材５０１を設けた主たる目的は、球集合板４６０の裏面に設けられた種々の電気部品、例えば、遊技盤３０の表面に設けられた電飾用の基板等の電気部品、配線などを保護することになる。即ち、この球集合板４６０の裏面に露出された状態に配置されているものであるから、裏面側からアタック（多の部品の組み付け時、或いは基板ケースの開閉時）に際して、破損、破断が生じる虞がある。
【０１２７】
この他に、球集合板４６０の裏面中央には、中継基板４７０、これにつながるコネクタ、配線が設けられている。ここでは、中継基板４７０は、表裏２段配置に構成されており、裏面側（外側）では、第１制御基板ユニット２０１からの入力を、大入賞口作動のための中継とし、また一部の電飾に中継し、また、入球を検知するセンサーの出力を中継している。同様に、内側の中継基板については、電飾等の中継を行う。
また、球集合板４６０の裏面に露出されている基板としては、大当たりに際して開く大入賞口装置４７１（図５参照）のための制御（ソレノイド、センサー）を行う中継基板４７３がある。これらの中継基板４７０、中継基板４７３については、この実施例では、前記カバー部材５０１の被覆対象外となっている。即ち、これらの中継基板４７０、中継基板４７３を覆いから外すように、即ち、その中継基板４７０に対しては、このカバー部材５０１の一部を凹ませた形状とし、その中継基板４７３については、中抜き形状（窓）として、そのカバー部材５０１の形状が採られている。
【０１２８】
上記カバー部材５０１は、球集合板４６０に対向する面が開放された概略横長で中空体（箱形）に形成され、その上端部にはほぼ矩形状の切欠部５１１が形成されている。この切欠部５１１は、球集合板４６０と第１制御基板ユニット２０１とを電気的に接続するスペースを確保するためのものである。
【０１２９】
上記カバー部材５０１の内部には、図１４に示すように、複数のリブ５１２が形成されている。このリブ５１２は、カバー部材５０１の補強の機能だけでなく、該カバー部材５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１３０】
上記カバー部材５０１は透明樹脂よりなるものであり、これにより、内部での不正行為の有無等が外側から容易に視認することができ、したがって不正をより効果的に防止し得るようになっている。
【０１３１】
上記カバー部材５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１６では右側端部）には、上下１対の軸４６２がそれぞれ上方に突出するように設けられており、この軸４６２に前記カバー部材５０１のブラケット５１３が挿通されている。これにより、上記カバー部材５０１は一方端部で軸４６２を中心として水平面上で回動可能に軸支され開閉可能となっている。即ち、該カバー部材５０１の開閉軸線はパチンコ機１０の背面からみて前記開閉機構４１０形成側端部の反対側（図１４および図１６の右側）で上下に延びるように設定されており、この開閉軸線を軸心にしてカバー部材５０１が後方側に十分に開放できるようになっている。
【０１３２】
前記第１制御基板ユニット２０１Ａは、図１３に示すように開閉機構４１０により該開閉機構４１０形成側端部（図１３では左側端部）で回動させて一方側へ（図１３では左方に）開放し得るようになっているが、上記のようなカバー部材５０１の支持構造とすることにより、該カバー部材５０１は図１４に示すように第１制御基板ユニット２０１Ａとは逆方向に（図１４では右方に）開放し得るようになっている。すなわち、該カバー部材５０１と第１制御基板ユニット２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１３３】
上記カバー部材５０１の自由端部側（図９及び図１１では左端部側）およびこれに対応する球集合板４６０上の位置には、カバー部材５０１と球集合板４６０とを封止するための封止手段が設けられている。この封止手段は、第１封止部５２０Ａと第２封止部５２０Ｂとを有している。この第１封止部５２０Ａおよび第２封止部５２０Ｂについて以下順次説明する。
【０１３４】
図２０に示すように、第１封止部５２０Ａは、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されている。
【０１３５】
カバー部材５０１の自由端において球集合板４６０に当接する上下２箇所のコーナー部からは、それぞれ、上下１組の方形状の延出片が、互いに平行となるように、水平に平伏した状態で、カバー部材５０１の長さ方向に沿って延出し、上下１組の延出片のうち内側に位置する延出片の先端部が外方に屈曲して外側の延出片に向かって延び、これら上下の延出片の先端部分が、カバー部材５０１の奥行方向に沿って延びる円筒状部を支持するような形状となるように、カバー部材５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１３６】
一方、球集合板４６０において上記カバー部材５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底板にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底板にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記カバー部材５０１の挿入部５１４に螺合し、これによりカバー部材５０１の自由端部が球集合板４６０に固定されるようになっている。
【０１３７】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、カバー部材５０１と球集合板４６０とが封止されるようになっている。一方、たとえば球集合板４６０の裏側の点検などを目的としてカバー部材５０１を開放する場合には、前記切断部５１４Ａを切断することにより、カバー部材５０１と球集合板４６０との封止状態を外側から（パチンコ機１０の背面側から）、痕跡を残しながら解除することができる。
【０１３８】
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１３９】
第２封止部５２０Ｂは、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。
【０１４０】
カバー部材５０１の自由端は、高さ方向における中段をなす帯域部分が内側に陥入して、正面視概略コ字状の形状を有しており、その陥入部分の底板から、高さ方向に長く延びる概略直方体状の基台部５１５Ｂが外側（カバー部材５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、カバー部材５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち、例えば遊技盤３０の裏面に対し平行となるように、底壁５１５Ｄが設けられ、該底壁５１５Ｄにはネジ挿通孔（図示せず）が穿設されている。
【０１４１】
上記周壁部５１５Ｃを含む上下の延出片および底壁５１５Ｄにより、破断ネジ挿通部５１５が構成されている。上記上下の延出片は、前記第１封止部５２０Ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０Ｂの切断部５１５Ａとなっている。
【０１４２】
一方、図１６に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（カバー部材５０１側）へ延出する円筒状に形成され、その内部にはネジ溝が設けられて破断ネジ５２２が螺入され得るようになっている。
【０１４３】
図２０に示すように、カバー部材５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（カバー部材５０１側）から挿通されて螺入部４６３に螺入され、これによりカバー部材５０１が球集合板４６０に固定される。破断ネジ５２２は所定の高トルクで回転させることにより外側頭部５２２Ａと内側頭部５２２Ｂとの間で破断して外側頭部５２２Ａが分離し、内側頭部５２２Ｂが破断ネジ挿通部５１５の内部に収容された状態で残留する。この状態では、ドライバによって破断ネジ５２２を回転させることはできず、しかも内側頭部５２２Ｂは破断ネジ挿通部５１５の周壁部５１５Ｃで包囲されているため、痕跡を残さずに破断ネジ５２２を取り除くことは不可能である。これにより、カバー部材５０１と球集合板４６０とが封止された状態となる。一方、前記切断部５１５Ａを切断することにより、カバー部材５０１と球集合板４６０との封止状態を痕跡を残しながら解除することができる。
【０１４４】
カバー部材５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０Ａが設けられている。さらに、下段の突出部分の先端面において、第１封止部５２０Ａの上方の位置に、破断ネジ挿通部５１６が設けられている。この破断ネジ挿通部５１６は、前記陥入部分の底板に設けられた破断ネジ挿通部５１５とほぼ同様の上下の延出片（周壁部を含む）および底壁を有する構成となっている。
【０１４５】
また、図１６に示すように、球集合板４６０において上記カバー部材５０１の下段の突出部分に設けられた破断ネジ挿通部５１６に対応する位置には螺入部４６４が設けられており、この螺入部４６４は前記螺入部４６３と同様に、背面側（カバー部材５０１側）へ延出する円筒状に形成され、その内部にはネジ溝が設けられて破断ネジ５２２が螺入され得るようになっている。本実施形態に示す第２封止部５２０Ｂは、カバー部材５０１の陥入部分の底板に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点でカバー部材５０１と球集合板４６０との封止がなされ得るようになっている。
【０１４６】
上記カバー部材５０１の陥入部分の底板に設けられた上下の破断ネジ挿通部５１５は、図９および図１１に示すように、前記開閉機構４１０におけるブラケット４１３の上下の支持部４１３Ａの間に挟持されるような位置に形成され、これら支持部４１３Ａの間のスペースをほぼ閉塞し、第１制御基板ユニット２０１Ａを枢着する軸４１１であるリベットの頭部に近接している。
【０１４７】
図９乃至図１１ならびに図２２に示すように、上記カバー部材５０１の外側面（第１制御基板ユニット２０１Ａ側面）における固定端部（図９、図１１及び図２２では右側端部）には、先端に係止爪が形成された矩形状の係止片５１７が後方に（第１制御基板ユニット２０１Ａ側に）突出するように配設され、一方、第１制御基板ユニット２０１Ａの内側ケース８５の自由端部には、矩形状の突起部８５１が側方に（図２２では右方に）突出するように配設されており、図２３に示すように該係止片５１７が突起部８５１に弾性的に係止し得るようになっている。この係止片５１７は、カバー部材５０１に一体成型されている。上記矩形状突起部８５１には、ＩＤ情報を記憶したＩＣチップが内臓されていてこれを外部からスキャナにより読み取るようにして外部との電波の送受信を行うように構成された封印シール（図示せず）が貼付されている。
【０１４８】
また、上記カバー部材５０１の外側面における自由端部には、図１１に示すように、矩形状凹部５１８が形成されている。この矩形状凹部５１８は、前記連結取付台座部材４３０の長さ（約４８ｍｍ）および厚み（約１３ｍｍ）にそれぞれほぼ等しい長さ（カバー部材５０１の長手方向に沿った長さ）および深さを有し、図９に示すように、内部に連結取付台座部材４３０をほぼ隙間なく収容することができ、収容状態で該連結取付台座部材４３０の外側面（開放側面）とカバー部材５０１の外側面とが面一となるようになっている。これにより、第１制御基板ユニット２０１Ａとの間にできる限り間隙が形成されないようになっている。
【０１４９】
（カバー部材の一部変形例）
図２４に示すように、上記カバー部材５０１の内部に形成するリブの数を少なくするようにしてもよい。図２４に示す例では、リブの形成が前記実施例の場合よりも大幅に少なく、これに応じて区画された室数も少なくなっている。さらには、カバー部材５０１の内部にリブを形成せず、内部空間を区画しないようにしてもよく、あるいは、カバー部材の内部に適宜な材料を充填して内部空間を実質的になくすようにしてもよい。
【０１５０】
また、上記図２４に示す例では、カバー部材５０１内の壁面に、第２封止部５２０Ｂ用の破断ネジ５２２を収容する破断ネジ収容部５２１が、ここでは３個形成されており、そこに破断ネジ５２２がそれぞれ１本づつセットされるようになっている。これにより、カバー部材５０１の封止を解除して開放するごとに、破断ネジを１本ずつ取り出し第２封止部５２０Ｂの３箇所の破断ネジ挿通部５１５、５１６に挿通・螺合して次の封止を行うようにすることができ、未使用の破断ネジ５２２は封止した状態のカバー部材５０１の内部に確実に保持しておくことができる。この破断ネジ収容部５２１は、例えば、１本の破断ネジのみを収容する構成としてもよく、この場合にも、破断ネジを未使用の段階ではカバー部材の内部に保持しておくことができる。
【０１５１】
また、上記パチンコ機１０においては、カバー部材５０１の一方端部およびこれに対応する球集合板４６０の位置に、第１および第２封止部５２０Ａ、５２０Ｂで構成される封止手段を設けた構造としていたが、これと同様のまたは異なる封止手段を他方端部にも設け、これにより、カバー部材５０１の両端部を封止した状態で固定する構造とするようにしてもよい。この場合、前記カバー部材５０１の開閉構造（回動可能に軸支した構造）を設けた端部にさらに封止手段を設けるようにしてもよいが、両端部が封止手段により固定されるため、開閉構造は省略することができる。
【０１５２】
上記パチンコ機１０においては、遊技盤３０の裏面の球集合板４６０の裏面を覆うようにカバー部材５０１が設けられていることにより、球集合板４６０の裏面に配置された中継基板、配線等の電気部品を保護することができ、他の電気部品の組み付け、或いは外部からの他物の接触による電気部品の破損、断線が防止できるのである。  即ち、パチンコ機１０の組立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると、作業性が良好となるが、このような場合に、電気部品も少なくとも一部がカバー部材５０１で覆われるようにすることで、電気部品がカバー部材５０１によって保護され、取り付け作業時に電気部品が破損されることが防止される。
【０１５３】
又、遊技盤３０の裏面と第１制御基板ユニット２０１との間の間隙が補填され、これによって、不正行為を行い得るようなスペースが形成されないようになっている。
さらに、このカバー部材５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１５４】
さらに、封止手段が第１封止部５２０Ａと第２封止部５２０Ｂとを有し、第１封止部５２０Ａが、球集合板４６０に遊技盤３０側から挿通されてカバー部材５０１を球集合板４６０に固定する固定手段であるネジ５１９と、球集合板４６０の遊技盤３０側に設けられネジ５１９が挿通される孔を底板に有する凹部４６５と、カバー部材５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、カバー部材５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的としてカバー部材５０１を開放する場合に、切断部５１４Ａを切断することによって痕跡を残しながらカバー部材５０１の封止状態を解除することができる。また、球集合板４６０が遊技盤３０に取り付けられていない状態ではカバー部材５０１を自在に開放し得るため、作業性が良好である。
【０１５５】
さらに、第２封止部５２０Ｂが、カバー部材５０１に背面側から挿通されてカバー部材５０１を球集合板４６０に固定する破断ネジ５２２と、カバー部材５０１に設けられ破断ネジ５２２が挿通される孔を底板に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、カバー部材５０１を破断ネジ５２２により球集合板４６０に外側から固定することができ、これにより、容易にカバー部材５０１を封止した状態で固定することができる。このとき、前記球集合板４６０が遊技盤３０に取り付けられた状態であっても、カバー部材５０１を破断ネジ５２２により球集合板４６０に外側から封止・固定することができるので、たとえば前記第１封止部５２０Ａによる封止状態を解除した後に、第２封止部５２０Ｂによって再度カバー部材５０１と球集合板４６０とを封止することができる。一方、たとえば球集合板４６０の裏側の点検などを目的としてカバー部材５０１を開放する場合には、切断部５１５Ａ、５１６Ａを切断することによって痕跡を残しながらカバー部材５０１の封止状態を解除することができる。
【０１５６】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、またカバー部材５０１は封止した状態で固定されているため、破断ネジ挿通部５１５を取り除こうとしても痕跡を残さずにこれを取り除くことは困難となっている。したがって不正行為がさらに効果的に防止される。
【０１５７】
さらに、カバー部材５０１の内部に、第２封止部５２０Ｂ用の破断ネジ５２２を１本またはそれ以上収容する破断ネジ収容部５２１が配設されていることにより、破断ネジ収容部５２１に破断ネジ５２２を収容しておくようにすれば、カバー部材５０１の封止を解除して開放するごとに、破断ネジ５２２を１本ずつ取り出して次の封止を第２封止部５２０Ｂで行うようにすることができ、未使用の破断ネジ５２２がある段階ではこれを封止した状態のカバー部材５０１の内部に確実に保持しておくことができる。
【０１５８】
さらに、カバー部材５０１のコーナー部に第１封止部５２０Ａが設けられ、コーナー部以外に第２封止部５２０Ｂが設けられていることにより、第１封止部５２０Ａによってカバー部材５０１をコーナー部で容易かつ確実に封止することができるとともに、このカバー部材５０１の封止を第２封止部５２０Ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１５９】
さらに、カバー部材５０１が中空体に成形され、内部がリブ５１２により多数の室に区画された構成としたことによって、カバー部材５０１の内部に不正基板を設置するのに十分なスペースが形成されておらず、したがって不正行為を効果的に防止することができる。
【０１６０】
さらに、カバー部材５０１が、球集合板４６０に対向する面が開放された構成としたことにより、カバー部材５０１を閉じた状態では上記開放された面も球集合板４６０に当接して閉塞されるため、カバー部材５０１の内部に不正基板を設置する等の不正行為は困難となっている。このとき、前記したようにカバー部材５０１の内部がリブ５１２により多数の室に区画されていても、カバー部材５０１の開放部分が外部に露出しておればそこからリブ５１２を切断して不正行為のためのスペースを確保されるおそれがあるが、上記のようにカバー部材５０１の開放面を球集合板４６０に対向させることにより、リブ５１２を切断することも困難となっている。
【０１６１】
さらに、カバー部材５０１と第１制御基板ユニット２０１とが、たがいに左右逆方向に開閉される開閉構造を有する構成としたことにより、カバー部材５０１および第１制御基板ユニット２０１のそれぞれを開放した状態における荷重が左右いずれか一方の端部に集中せず、左右両端部に分散することとなる。よって、たとえば点検などに際してカバー部材５０１および第１制御基板ユニット２０１を開放する場合等に、これらカバー部材５０１および第１制御基板ユニット２０１の荷重により球集合板４６０に変形が生じるといった不具合が防止される。球集合板４６０に変形が生じると、遊技球の排出に不具合をきたすおそれがある。
【０１６２】
さらに、第１制御基板ユニット２０１の一方端部が軸４１１により回動可能に枢着され、カバー部材５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、カバー部材５０１が不正に取り外されたとした場合、第１制御基板ユニット２０１の自由端部が保持されずに遊離した状態となるため、不正行為が容易に発覚することとなり、したがって不正を行うことがより困難となる。
【０１６３】
また、パチンコ機１０の組み立てにおいては、例えば、球集合板４６０に中継基板、ＬＥＤ基板、スイッチ、配線等の電気部品を取り付け、この球集合板４６０にカバー部材５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がカバー部材５０１で覆われるようにすることで、電気部品がカバー部材５０１によって保護され、取り付け作業時に電気部品が破損されることが防止される。
なお、図２３には、球集合板４６０にカバー部材５０１および第１制御基板ユニット２０１を取り付けた状態が示されており、このように、球集合板４６０、カバー部材５０１および第１制御基板ユニット２０１を一体とした状態で遊技盤３０に取り付けるという工程も可能であり、パチンコ機１０の組み立て方法は特定のものに限定されないが、前記のように球集合板４６０およびカバー部材５０１をユニットとして遊技盤３０に取り付けた後に第１制御基板ユニット２０１を取り付けるという工程の作業性がとりわけ良好である。
【０１６４】
（特徴構成）
前述の通り、パチンコ機１０は、遊技者による操作の操作量に応じて遊技内容を変化させるための操作手段として、遊技球発射ハンドル（以下、操作ハンドルとも称す）１８を備えている。図２５ないし図３４に示すように、操作ハンドル１８は、筒状に延びる基軸部６０１の一方端部に、環状のダイヤル６０２が回転可能に取り付けられた構成となっている。
【０１６５】
基軸部６０１は、図３５ないし図４２に示すように、概略縦長の楕円状の断面形状を有する筒状体であって、一方端面部が開放されるとともに、他方端面部が端面壁６０３（図４３参照）によりほぼ閉塞され、該端面壁６０３辺りの位置で周壁が径方向に外側にやや拡大し、この拡大部の周縁からやや短く周壁が延びて、拡径部６０４が形成されている。これにより、基軸部６０１は、ほぼ全体として、一方端部が傘状に拡径した概略きのこ形状（ないしリベット形状）となっている。基軸部６０１内部には、内周面に沿って複数の螺入部６０５が形成されており、該螺入部６０５にネジを螺入するようにして基軸部６０１の開放側端部が図１に示すようにパチンコ機１０における前記下皿ユニット１３の前面部に固定されるようになっている。なお、基軸部６０１はこのように開放側端部がパチンコ機１０の前面部に取り付けられるので、該開放側端部が基軸部６０１の後側端部、その反対側である拡径部６０４形成側端部が前側端部である。また、基軸部６０１は例えば図２６に示すように概略楕円状の断面形状を縦にするようにして取り付けられ、図示上の上下方向（および左右方向）と取付状態での上下方向（および左右方向）とは一致している。
【０１６６】
図４３および図４４に示すように、基軸部６０１の端面壁６０３および拡径部６０４は、上端よりやや右寄りの位置から左端よりやや下寄りの位置にかけて切欠かれて切欠部６０６が形成されている。また、端面壁６０３の中央には軸挿通孔６０７が設けられるとともに、端面壁６０３における左下端部の１箇所および右上端部の周方向に隣り合う２箇所の計３箇所に、円柱状に延び内部にネジ挿通孔を有するネジ挿通部６０８がそれぞれ突設されている。上記右上端部の２箇所のネジ挿通部６０８の間には、これらネジ挿通部６０８と平行に円柱状に延び、先端にワイヤ状体を挿通して係止固定する開裂部が形成されたバネ挿通部６３７が突設されている。
【０１６７】
基軸部６０１の切欠部６０６には、ストッパ支持部材６０９が固定される。該ストッパ支持部材６０９は、切欠部６０６にちょうど対応する形状を有し、該切欠部６０６にストッパ支持部材６０９を嵌合し固定することで、前述のような基軸部６０１の概略きのこ形状（ないしリベット形状）の外形が完成するようになっており、換言すれば、ストッパ支持部材６０９は基軸部６０１の外形を補填するものともなっている。
【０１６８】
ストッパ支持部材６０９には、ストッパ６１０が支持される。ストッパ６１０は、図４６および図４７に示すように、概略箱形状の基台部６１０Ｓに、正面視概略山形状に先細りして先端が丸形状の突起部６１０Ｐが突出するように一体的に形成された形状を有し、図４７に示すように、前側分割体６１０Ｆおよび後側分割体６１０Ｒの、前後２つの分割体に分割成形され、これらを結合して構成されている。前側分割体６１０Ｆおよび後側分割体６１０Ｒにおいて、基台部６１０Ｓを構成する部分はそれぞれ断面略コ字形のクリップ状をなすように把持部６１１Ｆ、６１１Ｒが形成されている。前側分割体６１０Ｆにおける把持部６１１Ｆの外側片の内面には、直方体状の内部空間を有する収容凹部（図示せず）が形成されており、該収容凹部に、ゴム弾性を有する平板状の弾性部材６１２Ｆが収容されており、一方、後側分割体６１０Ｒにおける把持部６１１Ｒの内側片の内面には、上記前側分割体６１０Ｆにおける収容凹部に比して寸法（占有面積）がやや小で同様の形状を有する収容凹部（図示せず）が形成され、該収容凹部に上記と同様にゴム弾性を有する平板状の弾性部材６１２Ｒが収容されている。
上記基台部６１０Ｓと両弾性部材６１２Ｆ、６１２Ｒとにより、ストッパ６１０の基部が構成されている。
【０１６９】
ストッパ支持部材６０９には、図４３および図４４に示すように、周縁に沿って径方向に鍔状に延出する鍔状レール６１３および該鍔状レール６１３の内側（中心寄り）の位置から前後に周壁状に延出する周壁状レール６１４が形成されており、図４７に示すように、鍔状レール６１３を前側分割体６１０Ｆと後側分割体６１０Ｒとで前後からほぼ隙間なく挟持するとともに、周壁状レール６１４を把持部６１１Ｆ、６１１Ｒで前後から内包するようにほぼ隙間なく把持した状態で、ネジ穴６１５にネジ（図示せず）を螺入、締結し前側分割体６１０Ｆと後側分割体６１０Ｒとを結合することによって、ストッパ６１０が鍔状レール６１３および周壁状レール６１４上に装着した状態で組み立てられている。これにより、ストッパ６１０が、鍔状レール６１３によって前後方向に、周壁状レール６１４によって径方向に規制され、ガタつきもなく安定に支持されている。このとき、両弾性部材６１２Ｆ、６１２Ｒが、周壁状レール６１４に対し径方向に両側から所定の圧力で当接しており、これにより、ストッパ６１０が、周壁状レール６１４に対し所定の摩擦力をもって摺動（スライド）可能に支持され、この摩擦力は、例えば後述するコイルバネの付勢力に比して同等または少々上回る程度の力を加えられてもストッパ６１０が動かずに固定され、これよりもさらに大きい力で強く動かされるとストッパ６１０が鍔状レール６１３および周壁状レール６１４に沿って摺動（スライド）することができる程度となるように設定されている。
【０１７０】
図４３および図４４に示すように、ストッパ支持部材６０９において、上記鍔状レール６１３および周壁状レール６１４の左に隣接する位置には、ストップボタン６１６が配置されている。また、図３６にも示すように、基軸部６０１において軸挿通孔６０７の下方の位置には可変抵抗器６１７が配置され、該可変抵抗器６１７は前記発射制御装置３１２に接続されている。
【０１７１】
基軸部６０１における軸挿通孔６０７には、軸部材６１８が軸支されている。軸部材６１８は、回動軸６１８Ａの中間部に、概略円板状の基体部６１８Ｓが一体的に成形され、該基体部６１８Ｓの後側面にはギア部（図示せず）が形成されていて、軸部材６１８の回転が可変抵抗器６１７のギア６１７Ｇに伝達されるようになっている。
【０１７２】
ダイヤル６０２は、図４５に示すように、基軸部６０１における拡径部６０４の外径より僅かに大きい径を有する環状の周壁形状をなすリム部６０２Ｒと、該リム部６０２Ｒの外径より小さい外径を有し中央に軸挿通孔６０２Ｆが穿設された正面視概略円形のボス部６０２Ｂとを有し、リム部６０２Ｒの外周面における上端よりやや右寄り（図４５上では左寄り）、左端よりやや上寄りおよび右端の３箇所にそれぞれ正面視概略三角形状の指掛突起６０２Ｐが一体的に形成され、各指掛突起６０２Ｐにおける左側面は、正面視概略Ｓ字形状をなすように湾曲しながらリム部６０２Ｒの外周面からほぼ径方向に立ち上がる形状を有する指掛面６０２Ｅとなっている。ボス部６０２Ｂは右端の位置および左端よりやや下寄りの位置でそれぞれリム部６０２Ｒと一体的に連続する形状となっており、したがって、ボス部６０２Ｂとリム部６０２Ｒとの間に、左右の連続部分で上下２つに分割されボス部６０２Ｂおよびリム部６０２Ｒの周方向に沿って延びる円弧状の貫通溝部６０２Ｇが形成されている。また、リム部６０２Ｒの内周面に沿って、左端よりやや下寄りの位置から反時計回り（図４５上では時計回り）に上端よりやや右寄りの位置にかけて、リム部６０２Ｒの内周面との間に一定の間隔を保持しながら正面視円弧状に延びるリブ６０２Ｍが一体的に形成され、該リブ６０２Ｍの左端部は外側に折り返されてリム部６０２Ｒに連続しており、この折り返しにより、リブ６０２Ｍの周方向に交差する押圧面６０２Ｔが形成されている。この押圧面６０２Ｔは、後述するようにストッパ６１０を押圧するように機能する部位である。
【０１７３】
ダイヤル６０２のボス部６０２Ｂには、軸挿通孔６０２Ｆに回動軸６１８Ａを挿通するようにして前記軸部材６１８が後側から嵌着され、ネジにより固定されるようになっている（この固定状況は図示省略）。この状態で、ダイヤル６０２の貫通溝部６０２Ｇに前記基軸部６０１のネジ挿通部６０８を挿通しながら、前記基軸部６０１の軸挿通孔６０７に軸部材６１８の回動軸６１８Ａが挿入される。これにより、ダイヤル６０２が基軸部６０１に対し所定の角度範囲内で自在に回転し得るように支持されるようになっている。このとき、ダイヤル６０２の貫通溝部６０２Ｇが両端で基軸部６０１のネジ挿通部６０８に当ってダイヤル６０２の回動が規制されるため、上記所定の角度範囲は、このようにダイヤル６０２の回動がネジ挿通部６０８により規制される範囲のことである。またこのとき、ダイヤル６０２は、基軸部６０１における拡径部６０４の周縁にリム部６０２Ｒが外側から嵌合した状態で回転し、したがってその移動方向が拡径部６０４の周方向に規制されるようになっている。
【０１７４】
ダイヤル６０２の前側からは、キャップ６１９が取り付けられる。キャップ６１９は、図２９ないし図３２にも示すように、ほぼ半球状（ないし椀状）の形状を有し、前面部（外面部）には装飾が施され、内側には、前記基軸部６０１の３本のネジ挿通部６０８に対応する位置に、内部にネジ穴を有する円柱形状の螺入部がそれぞれ形成された構成となっている（図示せず）。基軸部６０１の拡径部６０４の後方からネジ挿通部６０８にネジを挿入してキャップ６１９の螺入部に螺入することにより、キャップ６１９が基軸部６０１に固定され、これによりダイヤル６０２が脱離不能に保持される。
【０１７５】
ダイヤル６０２の前側において、軸挿通孔６０２Ｆから前方に突出した回動軸６１８Ａにはコイルバネが外装され、該コイルバネの一方端はダイヤル６０２におけるボス部６０２Ｂの前側面に係止固定され（図示せず）、他方端は前記バネ挿通部６３７に係止固定されて（図示せず）、これによりダイヤル６０２が反時計回り方向に付勢されるようになっている。
【０１７６】
図４８ないし図５０は、操作ハンドル１８の操作方法の一例を示す図である。以下、同図に基づき操作ハンドル１８の操作方法について順次説明する。
【０１７７】
操作前の段階では、図４８（ａ）に示すように、ダイヤル６０２が反時計回り方向に最大限に回転した位置にあり、前記コイルバネの付勢力によりこの位置に保持されている。すなわち、この位置がダイヤル６０２の初期位置である。この初期位置では、前記３箇所の指掛突起６０２Ｐが上端よりやや右寄り、左端よりやや上寄りおよび右端にそれぞれ位置している。またこのとき、ストッパ６１０が鍔状レール６１３および周壁状レール６１４の左端の位置にセットされている。
【０１７８】
まず、図４８（ａ）中の矢印Ａ１に示すように、ダイヤル６０２を指先で把持して初期位置から前記コイルバネの付勢力に抗して時計回り方向に回す。このとき、ダイヤル６０２は、手に深く持って回そうとすると指先がダイヤル６０２よりも奥に突出してストッパ６１０に抵触しやすくなるため、上記のように指先で把持するほうが回しやすい。
【０１７９】
このようにダイヤル６０２を回す途上で、図４８（ｂ）に示すように、初期位置から数十°程度回転した位置に達すると、前記ダイヤル６０２の押圧面６０２Ｔが、図４６にも示すストッパ６１０における基台部６１０Ｓの左側面６１０Ｌに当接する。このとき、ダイヤル６０２の初期位置において左端よりやや上寄りに位置していた指掛突起（以下、第１指掛突起と称す）６０２Ｐ１の指掛面６０２Ｅ１の中央部と、ストッパ６１０における突起部６１０Ｐの時計回り方向側面（以下、指置面とも称す）６１０Ｅの中央部との間隔ｄ１は、遊技者の指が僅かに余裕をもって入る程度となっており、さらに、上記指掛面６０２Ｅ１と指置面６１０Ｅとは正面視概略Ｖ字形状をなすように外側へ次第に拡開しているため、遊技者の指の太さに個人差（あるいは例えば人差し指と親指とのように使用する指の違い）があっても、いずれかの位置（深さ位置）で指掛面６０２Ｅ１と指置面６１０Ｅとの間隔に適合しながら容易かつ確実に納まるようになっている。
【０１８０】
上記のようにダイヤル６０２の押圧面６０２Ｔがストッパ６１０における基台部６１０Ｓの左側面６１０Ｌに当接すると、該ストッパ６１０は前述の通り、コイルバネの付勢力を少々上回る力を加えられても動かない程度の摩擦力をもって周壁状レール６１４に摺動（スライド）可能に支持されているため、ダイヤル６０２をこの位置からさらに時計回り方向に回そうとするとストッパ６１０がある程度の抵抗となるが、ストッパ６１０は、さらに大きい力で強く動かされると摺動（スライド）することができるので、図４８（ｂ）中の矢印Ａ２に示すように、該ストッパ６１０の抵抗力を上回るトルクをかけながら、ダイヤル６０２をさらに時計回り方向に回すようにする。これにともない、以降はストッパ６１０がダイヤル６０２の押圧面６０２Ｔに押圧され、ダイヤル６０２に引き摺られるようにして時計回り方向に摺動（スライド）する（即ちダイヤル６０２に連動する）こととなる。このとき、ストッパ６１０は、前記第１指掛突起６０２Ｐ１との間隔ｄ１を保持しながら、ダイヤル６０２に連動して時計回り方向に摺動（スライド）する。換言すれば、ストッパ６１０は、ダイヤル６０２の第１指掛突起６０２Ｐ１の後を一定の間隔ｄ１を保持しながら追随するように時計回り方向に摺動（スライド）する。
【０１８１】
ついで、図４９（ａ）に示すように、ダイヤル６０２が遊技者にとって最適な特定の操作位置（以下、最適位置と称す）に定まったら、遊技者の指（例えば人差し指）Ｆ１をダイヤル６０２からさらに奥へ差し入れ、ストッパ６１０の指置面６１０Ｅにかけるようにする。これにより、遊技者の指Ｆ１がダイヤル６０２における第１指掛突起６０２Ｐ１の指掛面６０２Ｅ１とストッパ６１０の指置面６１０Ｅとの間に挟まれた状態、即ち、ダイヤル６０２が遊技者の指Ｆ１を介してストッパ６１０に掛止された状態となってダイヤル６０２が最適位置に保持されることとなる。このとき、ダイヤル６０２には、コイルバネにより反時計回り方向へ付勢力が加えられており、ダイヤル６０２を最適位置に保持しておくにはこの付勢力に抗することが必要であるが、ストッパ６１０は前述の通りコイルバネの付勢力によっては動かないため、上記のようにダイヤル６０２を指Ｆ１を介してストッパ６１０に掛止することにより、上記コイルバネの付勢力をストッパ６１０で受け止めることができるので、ストッパ６１０を利用せずにダイヤル６０２を手だけで把持するよりも容易かつ確実に最適位置に保持しておくことができ、疲労し難く安楽な体勢で遊技を続行することができる。
【０１８２】
またこのとき、ダイヤル６０２が、遊技者の指Ｆ１を介在させるようにしてストッパ６１０に掛止することにより最適位置に保持されているので、指Ｆ１をかける位置や角度を適宜ずらすようにしてダイヤル６０２の操作位置を微調整することも容易である。
【０１８３】
この後、例えば休憩等のために遊技を中断する場合、ダイヤル６０２が最適位置にある操作ハンドル１８から手を放すと、図４９（ｂ）に示すように、該ダイヤル６０２がコイルバネの付勢力により反時計回り方向に回転して初期位置に復帰するが、このとき、該ダイヤル６０２の押圧面６０２Ｔよりも時計回り方向側には、（上端よりやや右寄りの位置まで）リブ６０２Ｍが形成されていないため、ダイヤル６０２はストッパ６１０に抵触することなく反時計回り方向に回転することとなり、したがって該ストッパ６１０は、ダイヤル６０２が反時計回り方向に回転してもこれに影響を及ぼし合う（関わり合う）ことはなく、該ストッパ６１０自体は、図４９（ａ）に示すように最適位置にあったときのダイヤル６０２における所定の部位の近傍（即ち最適位置にあったときのダイヤル６０２において手指を掛止させて把持するための掛止部である第１指掛突起６０２Ｐ１から反時計回り方向に間隔ｄ１をおいた位置）に留まることとなる。
【０１８４】
遊技を再開する際には、図５０（ａ）に示すように、指（例えば親指）Ｆ２でストップボタン６１６を押して遊技球の発射を停止した状態としながら、図中の矢印Ａ３に示すように、ダイヤル６０２を再び初期位置からコイルバネの付勢力に抗して時計回り方向に回す。このとき、ストッパ６１０が前述の通り最適位置にあったときのダイヤル６０２における第１指掛突起６０２Ｐ１の近傍に留まっているので、該ストッパ６１０を目安としてダイヤル６０２を最適位置の付近まで容易に回すことができる。このようにダイヤル６０２を回すと、図５０（ｂ）に示すように、その途上でダイヤル６０２の押圧面６０２Ｔがストッパ６１０における基台部６１０Ｓの左側面６１０Ｌに再び当接するが、この位置までは、ダイヤル６０２はコイルバネの付勢力を少々上回る程度の力で回すことができるので、遊技者がよほど勢いよく操作したりしない限り、ダイヤル６０２の押圧面６０２Ｔが当接しただけではストッパ６１０は動くことはなく、したがって、ダイヤル６０２の時計回り方向の回動がストッパ６１０により規制されて、再びダイヤル６０２が最適位置に位置することとなる。
【０１８５】
この状態で、図５０（ｂ）に示すように、前記と同様にして、指（例えば人差し指）Ｆ１をダイヤル６０２からさらに奥へ差し入れ、ストッパ６１０の指置面６１０Ｅにかけてダイヤル６０２を最適位置に保持するとともに、ストップボタン６１６から指Ｆ２を放すようにする。これにより、ダイヤル６０２を再び最適位置に正確に合わせた状態で遊技球の発射が開始され、したがって、無駄球を出すことなく最適位置から遊技を再開できるとともに、これ以降、前記と同様に容易かつ確実にダイヤル６０２を最適位置に保持して、疲労し難く安楽な体勢で遊技を続行することができることとなる。
【０１８６】
このとき、例えば、ストッパ６１０に指をかけずにダイヤル６０２のみを把持するようにしたとしても、前述の通りストッパ６１０はダイヤル６０２の時計回り方向の回動を規制することができるので、ダイヤル６０２を容易かつ確実に最適位置に合わせた状態に保持しておくことができる。
【０１８７】
この後、遊技の中断および再開を繰り返す場合には前記と同様の操作を繰り返せばよい。一方、遊技を終了する際には、中断する場合と同様に、操作ハンドル１８から手を放すと、ダイヤル６０２がコイルバネの付勢力により反時計回り方向に回転して初期位置に復帰するが、ストッパ６１０が最適位置にあったときのダイヤル６０２における第１指掛突起６０２Ｐ１の近傍に留まっているので、該ストッパ６１０を再び鍔状レール６１３および周壁状レール６１４の左端の位置に戻すようにすると、遊技者が遊技を通じて自分が探り当てた最適位置を次の遊技者に利用されないようにすることができる。ストッパ６１０は、コイルバネの付勢力を上回るやや強い力で押圧することにより、ダイヤル６０２と連動することなく鍔状レール６１３および周壁状レール６１４の上を摺動（スライド）させて元の左端の位置に復帰させることができる。
【０１８８】
（作用）
上述の通り、パチンコ機１０においては、遊技者により操作され、その操作量に応じて遊技内容を変化させるための操作手段として操作ハンドル１８を備え、該操作ハンドル１８は、遊技者の操作により初期位置と操作位置との間を移動し得る可動部としてダイヤル６０２と、該ダイヤル６０２を初期位置側へ付勢する付勢手段としてコイルバネとを有する構成において、上記ダイヤル６０２が初期位置から操作位置へ移動するのに連動して様態が変移（即ち鍔状レール６１３および周壁状レール６１４の上を摺動）し、このあとダイヤル６０２が初期位置側へ復帰するよう移動しても変移した様態（即ち鍔状レール６１３および周壁状レール６１４の上における位置）が維持される操作量標示手段としてストッパ６１０を備えるものとなっているので、遊技者が特定の操作位置までダイヤル６０２を移動させると、これに連動してストッパ６１０の様態（位置）が変移し、この後、遊技者が遊技を中断してダイヤル６０２が初期位置に復帰しても、ストッパ６１０が変移した様態（位置）に維持される。したがって、遊技再開時にこのストッパ６１０の変移した様態（位置）が目安となって、ダイヤル６０２を再び上記特定の操作位置に容易に合わせることができるので、硬貨等でダイヤル６０２を特定の操作位置に固定しなくとも、無駄球を極力出さずに遊技を再開することができ、これにより遊技者の損失が生じ難くなっている。
【０１８９】
またこのとき、ストッパ６１０の様態（位置）がダイヤル６０２の動作に連動して変移するため、ダイヤル６０２を特定の操作位置に合わせるための目安を設定する操作を別に行うことも不要であり、そのぶん操作の手数が増えることもない。
【０１９０】
また、操作量標示手段であるストッパ６１０が、鍔状レール６１３および周壁状レール６１４の上を摺動することにより様態が変移するものとなっているので、操作量標示手段の様態が連続的に変移するため操作位置が高精度に標示されるようになっており、またその構成も簡潔となっている。
【０１９１】
また、ストッパ６１０が、鍔状レール６１３および周壁状レール６１４を、交差する２方向すなわち前後方向および径方向の各方向に沿って挟持するようにして該鍔状レール６１３および周壁状レール６１４の上に摺動可能に支持されているので、ストッパ６１０が、鍔状レール６１３および周壁状レール６１４によって交差する２方向の各方向に規制され、ガタつきもなく安定に支持されている。
【０１９２】
また、ストッパ６１０が弾性部材６１２Ｆ、６１２Ｒを備え、周壁状レール６１４に対し両側から弾性部材６１２Ｆ、６１２Ｒが所定の圧力で当接しているので、ストッパ６１０が、周壁状レール６１４に対し所定の摩擦力をもって摺動（スライド）可能に支持され、これにより、変移した様態（周壁状レール６１４上の位置）が確実に維持されるようになっている。
【０１９３】
また、ストッパ６１０が、鍔状レール６１３および周壁状レール６１４の上の特定位置でダイヤル６０２の移動（回転）を規制し得るので、遊技再開時にストッパ６１０でダイヤル６０２の移動（回転）を規制することにより、該ダイヤル６０２を再び特定の操作位置に容易に合わせることができる。
【０１９４】
また、ストッパ６１０が、内部に弾性部材６１２Ｆ、６１２Ｒが収容された構成となっているので、劣化等の場合に弾性部材６１２Ｆ、６１２Ｒのみを交換することも可能となっている。
【０１９５】
また、ストッパ６１０が、ダイヤル６０２と連動することなく元の位置に復帰させることができるようになっているので、遊技終了後にストッパ６１０を元の位置に戻すようにすることにより、遊技者が遊技を通じて自分が探り当てた最適位置を次の遊技者に利用されないようにすることができる。
【０１９６】
また、遊技者により操作され、その操作量に応じて遊技内容を変化させるための操作手段として操作ハンドル１８を備え、該操作ハンドル１８は、遊技者の操作により初期位置と操作位置との間を移動し得る可動部としてダイヤル６０２と、該ダイヤル６０２を初期位置側へ付勢する付勢手段としてコイルバネとを有する構成において、上記ダイヤル６０２が操作位置にあるときに該ダイヤル６０２における所定の部位（即ち第１指掛突起６０２Ｐ１）の近傍に位置し、上記付勢手段による付勢力に抗して上記ダイヤル６０２を操作する力を軽減するために用いることが可能な操作位置固定手段としてストッパ６１０を備える構成としたので、特定の操作位置にあるダイヤル６０２を、第１指掛突起６０２Ｐ１の近傍に位置するストッパ６１０で支えながら該操作位置に保持しておくことができる。このとき、ダイヤル６０２にはコイルバネにより初期位置側へ付勢力が加えられており、ダイヤル６０２を特定の操作位置に保持しておくにはこの付勢力に抗することが必要であるが、ストッパ６１０はコイルバネによる付勢力に抗して上記ダイヤル６０２を操作する力を軽減するために用いることが可能となっているため、ダイヤル６０２をストッパ６１０で支えながら保持することにより、コイルバネによる付勢力をストッパ６１０で緩和することができるので、ダイヤル６０２を手だけで把持するよりも容易かつ確実に最適位置に保持しておくことができ、疲労し難く安楽な体勢で遊技を進めることができる。
【０１９７】
また、ストッパ６１０が、ダイヤル６０２の移動方向に沿って移動し得るとともに、その移動方向における初期位置側へ向けてコイルバネによる付勢力と実質的に同等の力を加えられても動かず同位置に留まるものとなっているので、ストッパ６１０を移動させることにより、該ストッパ６１０をダイヤル６０２の任意の操作位置に対応してダイヤル６０２の第１指掛突起６０２Ｐ１の近傍に位置させることができる。
このとき、ストッパ６１０は移動方向における初期位置側へ向けてコイルバネによる付勢力と実質的に同等の力を加えられても動かないため、ダイヤル６０２をストッパ６１０で支えながら保持することにより、コイルバネによる付勢力をストッパ６１０で受け止めることができるので、ダイヤル６０２をより容易かつ確実に最適位置に保持しておくことができる。
【０１９８】
また、ダイヤル６０２が初期位置から操作位置へ移動する場合に、ストッパ６１０が該ダイヤル６０２の第１指掛突起６０２Ｐ１に追従して移動するので、ダイヤル６０２を初期位置から操作位置へ移動させるのとは別の操作によってストッパ６１０を移動させなくても、ダイヤル６０２を移動させると該ストッパ６１０が自動的にダイヤル６０２の第１指掛突起６０２Ｐ１に追従して移動するようになっており、したがってそのぶん操作の手間が省略されるようになっているとともに、該ストッパ６１０がダイヤル６０２の第１指掛突起６０２Ｐ１の近傍に確実に位置するようになっている。
【０１９９】
また、操作ハンドル１８は、
ダイヤル６０２の移動方向を規制する第１規制部として基軸部６０１における拡径部６０４の周縁と、
ストッパ６１０の移動方向を規制する第２規制部として周壁状レール６１４と、
ストッパ６１０に設けられ、上記移動方向と交差する方向において上記周壁状レール６１４と接触する部位（即ち両弾性部材６１２Ｆ、６１２Ｒ）と基台部６１０Ｓとを有する基部と、
上記基部における基台部６１０Ｓから上記交差方向に延出する部位である突起部６１０Ｐに設けられ、操作位置側に向いた支承面として指置面６１０Ｅと、
上記ダイヤル６０２に設けられ、上記ダイヤル６０２が初期位置から操作位置へ向けて移動することに応じて上記基部を押圧する押圧面６０２Ｔとを有するので、ダイヤル６０２を基軸部６０１における拡径部６０４に沿って初期位置から操作位置へ移動させると、ストッパ６１０が、基部において周壁状レール６１４に接触しながら該周壁状レール６１４に沿ってダイヤル６０２に追従して移動するが、このとき、ストッパ６１０は、周壁状レール６１４に接触する部位である両弾性部材６１２Ｆ、６１２Ｒを有する基部（即ち図４８（ｂ）に示す、ストッパ６１０が周壁状レール６１４に支持される支点Ｐ１１が存在する部位）をダイヤル６０２の押圧面６０２Ｔにより押圧されることでダイヤル６０２に追従して移動するので、比較的に小さい力で容易にダイヤル６０２に追従して移動することができ、したがってダイヤル６０２の操作を阻害することが少ない。一方、ダイヤル６０２を操作位置に移動させた後は、ダイヤル６０２をストッパ６１０で支えながら保持することができるが、このとき、ストッパ６１０の基部（具体的には基台部６１０Ｓ）から上記交差方向に延出する突起部６１０Ｐに設けられた指置面６１０Ｅでダイヤル６０２を支えることができるので、基部から上記交差方向に離隔した位置（即ち図４９（ａ）に示す、上記支点Ｐ１１から上記交差方向に離隔した力点Ｐ１２）でダイヤル６０２を支えることができ、したがって、このとき上記力点Ｐ１２でストッパ６１０に加わる力は、ストッパ６１０を周壁状レール６１４に沿って移動させるよりも、むしろ逆に、周壁状レール６１４に圧接して該ストッパ６１０を当該位置に留めるように作用する。これにより、簡単な構成によって、ダイヤル６０２をより容易かつ確実に最適位置に保持しておくことが可能な構造となっている。
【０２００】
また、ダイヤル６０２が初期位置側に向いた作用面として指掛面６０２Ｅを有し、ストッパ６１０が操作位置側に向いた支承面として指置面６１０Ｅを有するので、指掛面６０２Ｅと指置面６１０Ｅとの間に指などを挟むようにすることにより、容易にダイヤル６０２をストッパ６１０で支えながら保持することができる。
【０２０１】
また、指掛面６０２Ｅと指置面６１０Ｅとが外側へ次第に拡開しているので、例えば遊技者の指の太さに個人差があったり、あるいは例えば人差し指と親指とのように使用する指の違いがあっても、いずれかの位置（深さ位置）で指掛面６０２Ｅと指置面６１０Ｅとの間隔に適合して納まるようになっている。
【０２０２】
また、操作位置固定手段であるストッパ６１０が、移動方向すなわちダイヤル６０２の周方向に沿って配置された鍔状レール６１３および周壁状レール６１４を、交差する２方向すなわち前後方向および径方向の各方向に沿って挟持するようにして該鍔状レール６１３および周壁状レール６１４の上に摺動可能に支持されているので、ストッパ６１０が鍔状レール６１３および周壁状レール６１４によって交差する２方向の各方向に規制されてガタつきもなく安定に支持されている。
【０２０３】
また、ストッパ６１０が弾性部材６１２Ｆ、６１２Ｒを備え、周壁状レール６１４に対し両面側から弾性部材６１２Ｆ、６１２Ｒが所定の圧力で当接しているので、ストッパ６１０が、周壁状レール６１４に対し所定の摩擦力をもって摺動可能に支持され、これにより、周壁状レール６１４上の特定の位置に確実に支持されるようになっている。
【０２０４】
また、ストッパ６１０が、内部に弾性部材６１２Ｆ、６１２Ｒが収容された構成を有するので、劣化等の場合に弾性部材６１２Ｆ、６１２Ｒのみを交換することもできる。
【０２０５】
また、ダイヤル６０２が、ストッパ６１０よりも遊技者寄りの位置すなわち前側に配置されているので、ストッパ６１０に抵触することなくダイヤル６０２のみを操作することや、ダイヤル６０２を最適位置に合わせた後になってはじめてストッパ６１０に触れるようにすることがより容易となっている。
【０２０６】
（変更態様）
上記パチンコ機１０には、様々な変更を加えることが可能である。
（１）例えば図５１ないし図５３に示すように、ストッパをより容易に元の位置に戻し得る構成としてもよい。図５１はこのようなストッパの一例を示す斜視図、図５２はその分解斜視図、図５３はその作用を説明する図である。
【０２０７】
同図に示すストッパ６２０は、基台部６２０Ｓに胴部６２０Ｐが一体的に形成された形状を有し、前側分割体６２０Ｆおよび後側分割体６２０Ｒの、前後２つの分割体に分割成形され、これらを結合して構成されている。
【０２０８】
後側分割体６２０Ｒは、図５２に示すように、下端に前方へ延出する固定顎６２１Ｊが形成されたやや縦長の矩形状の背面基板６２１に、可動顎部材６２２およびレバー部材６２３が配設された構成となっている。可動顎部材６２２は、正面視概略山形状で下端に前方へ延出する可動顎６２２Ｊが形成され、背面基板６２１の前面に、上方に付勢された状態で僅かに即ち数ミリ程度の範囲内で上下動可能に取り付けられている（取付構造は説明および図示を省略）。可動顎６２２Ｊの下面には、前記実施形態のストッパ６１０における後側分割体６１０Ｒの収容凹部と同様の収容凹部６２２Ｒが形成されており、該収容凹部に前記実施形態と同様の弾性部材(図示せず）が収容されるようになっている。また、可動顎６２２Ｊの両側にそれぞれ隣接して、背面基板６２１から前方に腕部６２１Ａ、６２１Ａが延出している。レバー部材６２３は、やや長く延びる長方形状の板バネよりなり、２長辺が上辺および下辺となるようにして、背面基板６２１の前面における可動顎部材６２２の上端部よりやや左方に隣接する位置に、前方に延出するように固定されている。レバー部材６２３の上辺における可動顎部材６２２の上端部に対応する位置には、矩形状の切欠６２３Ｃが形成され、該切欠６２３Ｃに押圧部材６２４が嵌着固定されるようになっている。押圧部材６２４は、レバー部材６２３の厚さに対応する幅を有する溝部が前後方向に沿って形成された正面視概略逆Ｕ字形状の部材となっており、可動顎部材６２２に対向する右下端部には、下端から右上方へ傾斜するテーパ面６２４Ｔが形成されている。
【０２０９】
前側分割体６２０Ｆは、後側分割体６２０Ｒの背面基板６２１にほぼ対応する直方体状であって背面部（後側面部）が開放された前側カバー部６２５の下端部に把持部６２５Ｂが一体的に形成された構成となっている。把持部６２５Ｂは、前記実施形態のストッパ６１０における前側分割体６１０Ｆの把持部６１１Ｆとほぼ同様の形状となっているが、内部には収容凹部が形成されておらず弾性部材も収容されていない。前側カバー部６２５の左側面部には、前記レバー部材６２３を挿通し得る矩形状凹部６２５Ｒが形成されている。前側分割体６２０Ｆは、図５１に示すように、後側分割体６２０Ｒにおける可動顎部材６２２とレバー部材６２３の大部分とを前側カバー部６２５で前方から覆うとともに、レバー部材６２３の先端部を矩形状凹部６２５Ｒから前方に突出させるようにして、後側分割体６２０Ｒに前方から嵌着固定され、これにより、基台部６２０Ｓおよび概略直方体状の胴部６２０Ｐが構成されている。
【０２１０】
図５３（ａ）に示すように、上記ストッパ６２０が周壁状レール６１４上の特定位置に支持された状態では、後側分割体６２０Ｒの可動顎部材６２２の上端に、押圧部材６２４が左方よりテーパ面６２４Ｔから乗り上げた体勢となっており、これにより、可動顎６２２Ｊが下方に押圧されて固定顎６２１Ｊとともに周壁状レール６１４を上下からクランプ様に挟んで締め付け、これにともない、可動顎６２２Ｊの収容凹部６２２Ｒに収容された弾性部材６２６が周壁状レール６１４上に圧しつけられて摩擦力が生じるようになっている。前記実施形態のストッパ６１０では周壁状レール６１４に両面側から弾性部材が圧接する構成となっていたのに対し、本実施例においては周壁状レール６１４の片面側（外面側）からのみ弾性部材６２６が圧接する構成となっているが、上記のように可動顎部材６２２が押圧部材６２４に押圧されて弾性部材６２６が周壁状レール６１４上に圧しつけられる構成とすることで、十分な圧力が加えられて摩擦力も十分となるようになっている。
【０２１１】
図５３（ｂ）に示すように、レバー部材６２３の先端部を左方に押圧して全体を湾曲させるようにすると、これとともに押圧部材６２４が可動顎部材６２２から左方に離脱し、これにより、可動顎６２２Ｊが下方への押圧力から解放されて付勢力により周壁状レール６１４から上方に離脱し、これにともない弾性部材６２６も周壁状レール６１４から上方に離脱して、このあとは腕部６２１Ａ、６２１Ａが周壁状レール６１４に当接した状態となり、また前述の通り周壁状レール６１４の反対側面には弾性部材は配設されていないため、摩擦力も大幅に軽減されてストッパ６２０を小さい力で容易に摺動（スライド）させることが可能な状態となる。
【０２１２】
上記のように、ストッパ６２０と周壁状レール６１４との間の摩擦力を調節する摩擦力調節機構を設けるようにすれば、摩擦力を大とすることによりストッパ６２０の変移した様態（周壁状レール６１４上の位置）を確実に維持することができ、一方、摩擦力を小とすることによりストッパ６２０をより容易に元の位置に戻すことができる。
【０２１３】
さらにこの場合、例えば図５４に示すように、ストッパ６２０を元の位置に復帰させる方向に付勢する付勢手段を設けるようにしてもよい。同図に示す例では、周壁状レール６１４に沿ってコイルバネ６２７が敷設されており、ストッパ６２０を右側から左方に（即ち反時計回り方向に）付勢している。これにより、ストッパ６２０をさらに容易に元の位置に戻すことができる。
【０２１４】
（２）また、操作量標示手段としては、レールの上をスライド移動する前記ストッパ６１０、６２０のように所定の構造物が移動することにより様態が変移するもの以外にも、例えば図５５および図５６に示すように、所定の電気的表示装置による表示内容が変容することにより様態が変移するもの等であってもよい。
【０２１５】
同図に示す例においては、下皿ユニット１３の前面において、操作ハンドル１８Ｂの上方にやや距離をおいた位置に操作量表示部６２８が設けられている。一方、操作ハンドル１８Ｂのダイヤル１８Ｄの周囲には、操作量を示す目盛６２９が付されている。同図に示すようにダイヤル１８Ｄが初期位置にある時点で最も左に位置する指掛突起（第１指掛突起）１８Ｄ１の先端には径方向の短小な線状のマーク６３０が付され、ダイヤル１８Ｄが初期位置にあるときにこのマーク６３０がちょうど「０」の位置にくるように目盛６２９が設定されており、この時点で操作量表示部６２８には「０」と表示されるようになっている。また、前記発射制御装置３１２は、可変抵抗器の抵抗値に対応する値を操作量として記憶する記憶手段を備え、この記憶値（操作量）に対応する表示を操作量表示部６２８で行うように制御する。
【０２１６】
図５６（ａ）に示すように、上記ダイヤル１８Ｄを時計回り方向に回すと、マーク６３０が指す目盛６２９に対応して操作量表示部６２８の表示内容が変容していく。例えば同図に示す「４」の位置が最適位置で、この最適位置で遊技を中断する場合には、操作ハンドル１８Ｂから手を放すと、図５６（ｂ）に示すように、ダイヤル１８Ｄがコイルバネの付勢力により反時計回り方向に回転して初期位置に復帰するが、このとき、操作量表示部６２８の表示内容はダイヤル１８Ｄの反時計回り方向の回転には連動せず、引き続き最適位置を表す「４」に留まる。
【０２１７】
遊技を再開する際には、ストップボタン１８Ｓを押しながらダイヤル１８Ｄを再び初期位置から時計回り方向に回す。このとき、操作量表示部６２８の表示内容が最適位置を表す「４」に留まっているので、これを目安としてダイヤル１８Ｄを目盛６２９の「４」の位置まで回すようにすれば、ダイヤル１８Ｄを再び最適位置に合わせることができる。この状態で、ストップボタン１８Ｓから指を放すと、再び最適位置で遊技球の発射が開始され、したがって、無駄球を出すことなく最適位置から遊技を再開できることとなる。
【０２１８】
この後、遊技を終了する際には、操作量表示部６２８の表示内容が最適位置を表すものに留まっているが、所定時間（例えば６０秒、１２０秒、１８０秒等の任意の設定時間）経過すると表示内容が「０」に戻るように設定されており、今回の遊技における最適位置がどこであったかがこれ以降は知ることができないようになっている。ここで、もし上記所定時間経過後に、同一の遊技者が遊技を再開しようとした場合でも、遊技を中断するまでは操作量表示部６２８に最適位置を表す表示内容が数字で（デジタルに）表示されていたため、この表示が上記所定時間の間だけなされていれば、遊技者にとってこの表示内容を記憶しておくのは十分に容易であり、したがって上記所定時間経過後に表示内容が「０」に戻っても、同一の遊技者が遊技を再開する上では殆ど支障はない。一方、本実施形態においては、操作量表示部６２８の表示内容をリセットするリセットスイッチ（図示せず）が設けられており、上記所定時間内であっても、このリセットスイッチを操作して操作量表示部６２８の表示内容を「０」に戻しておく(即ちリセットする)ことにより、最適位置が次の遊技者に利用されることをより確実に防止することができるようになっている。
【０２１９】
本実施形態においては、操作量表示部６２８および目盛６２９で操作量が「０」ないし「５」の５段階で表される構成となっているが、もちろん操作量表示部６２８を、例えば小数点以下まで表示する等のように、より小刻みに表示し得る構成としてもよく、さらには、目盛６２９もスペースの許す限りより小刻みに付すようにしてもよい。
【０２２０】
本実施形態の場合、操作量表示部６２８は電気的表示装置により操作量を表示するものとなっているので、操作位置固定手段としては機能せず、専ら操作量標示手段として有用なものとなっている。
【０２２１】
（３）また、前記実施形態においては、円環状の部材であるダイヤル６０２が可動部となっており、該ダイヤル６０２の前側にはキャップ６１９が固定されていたが、例えば、前側のキャップを回転可能に軸支して可動部とし、該キャップの後側に配置される円環状の部材を基軸部に固定するか、あるいは円環状の部材は省略してキャップを直接的に基軸部に回転可能に軸支するようにしてもよい（図示せず）。この構成においては、円環状の部材を設ける場合でも、この円環状の部材は固定されるためダイヤルではなく、キャップのほうがダイヤルとなる。
【０２２２】
（４）また、前記実施形態においては、ストッパ６１０が左端の位置から上端よりやや右寄りの位置までの間を往復し得る構成となっていたが、例えばこれとは反対側すなわち右端の位置から下端よりやや左寄りの位置までの間を往復し得る構成としてもよく、あるいは、上記両側の位置にそれぞれストッパを往復動可能に配置するようにしてもよい（図示せず）。遊技者によっては、手を持ち上げた状態に維持しながら操作ハンドルの操作を続けると疲れやすいため、例えば操作ハンドルの下方に適宜な支えを置いてこの上に手を載せ、操作ハンドルを下方から把持して操作することもあり、この場合、上記のようにストッパを操作ハンドルの下側に設けることにより、下方からの操作に対応することができる。
また、前記実施形態においては、ストッパ６１０がダイヤル６０２の第１指掛突起６０２Ｐ１に対応して配置されていたが、３箇所の指掛突起６０２Ｐのうち、任意の１またはそれ以上の指掛突起６０２Ｐに対応して配置するようにしてもよい。さらにまた、ダイヤルにおいては、指掛突起が手指を掛止させて把持するための掛止部となっているため、特に操作位置固定手段として機能させる上では、ストッパは指掛突起に対応して配置することが操作性の点で通常は望ましいが、ダイヤルはどの部位で把持することも可能ではあるので、指掛突起以外の任意の部位に対応してストッパが配置されていてもよい。特に、操作量標示手段としての機能に限ってみれば、ストッパはダイヤルのいずれの部位に対応して配置されていても同等に機能することができる。
【０２２３】
（５）また、前記実施形態においては、ストッパ６１０がダイヤル６０２の後側に配置されていたが、ストッパをダイヤルの前側に配置するようにしてもよい。例えば、キャップの周縁部にレールを形成し、このレールにストッパをスライド可能に支持するようにすればよい。ただし、ストッパに抵触することなくダイヤルのみを回すことや、ダイヤルを最適位置に合わせた後になってはじめてストッパに指をかけるようにすることがより容易となるようにする上では、前記実施形態におけるようにストッパ６１０をダイヤル６０２の後側に配置するほうが望ましい。
【０２２４】
（６）また、前記実施形態においては、ダイヤル６０２が掛止部として周縁部に指掛突起６０２Ｐを有する構成となっていたが、例えば、掛止部として周縁部に１または複数の凹部を設けた構成、周縁部にゴム状弾性材等よりなる滑り止めを設けた構成等も可能である。
さらには、可動部として、前記実施形態におけるダイヤル６０２のように回転可能に構成された環状の部材以外にも、例えば支点を中心に回動するレバーや、スライド動作するもの等であってもよい。
【０２２５】
（７）また、以上の実施形態においては、操作手段が、遊技球の発射強度を調節することにより遊技内容を変化させる遊技球発射ハンドル１８であり、操作量標示手段が、遊技球発射ハンドル１８に連動して様態が変移することにより操作量を示すストッパ６１０、６２０ないし操作量表示部６２８となっていたが、これと同様の操作手段および操作量標示手段（ないし操作位置固定手段）の構成は、例えば図５７に示すように、遊技領域内に遊技球を流下させることによる遊技以外の所定の遊技における遊技内容を変化させるための操作手段に適用することもできる。同図に示す例は、入賞に基づく遊技者参加型のゲームに上記操作手段および操作量標示手段の構成を適用したものである。この例においては、入賞に基づいてゲームが開始され、表示装置４２Ｂに弓を表す図柄Ｄ１１が表示されて、操作ハンドル６３１を回すと、その操作量に応じて、弓Ｄ１１の弦が引っ張られて矢を表す図柄Ｄ１２が的を表す図柄Ｄ１３をめがけて飛んでいき、これによりゲームの当たり外れが決定されるようになっている。操作手段である上記操作ハンドル６３１は、前記実施形態における遊技球発射ハンドル１８と同様の構成を有し、操作量標示手段（ないし操作位置固定手段）として、前記実施形態におけるストッパ６１０と同様のストッパ６３２を備えるものとなっている。
なお、上記表示装置４２Ｂは専らこのゲームの図柄を表示するものとなっているが、例えば、このようなゲーム専用の表示装置を設けず、前記装飾図柄表示装置４２でこのゲームの図柄を表示するようにしてもよい。
【０２２６】
（８）また、前記実施形態においては、ストッパ６１０がダイヤル６０２の押圧面６０２Ｔに押圧され、ダイヤル６０２に引き摺られるようにして鍔状レール６１３および周壁状レール６１４の上を摺動（スライド）することによりダイヤル６０２に連動する構成となっていたが、例えば、ストッパを電気的制御によりモータ等で駆動してダイヤルに連動させる構成としてもよい。この場合、遊技終了時にダイヤルを初期位置に戻した際に、タッチセンサ等によりダイヤルの非接触状態を検出してから所定時間（例えば６０秒、１２０秒、１８０秒等の任意の設定時間）経過後にストッパを元の位置に戻すよう駆動したり、ダイヤルの初期位置側への移動を検出してストッパを元の位置に戻すよう駆動したりしてもよい。またこの場合、上記所定時間をより長い時間（例えば５分、１０分等の任意の設定時間）に延長するための延長ボタンを設け、遊技を中断する際にこの延長ボタンを押すことにより、例えば数分程度の中断の後でも、最適位置にあったときのダイヤル６０２における第１指掛突起６０２Ｐ１の近傍にストッパが保持されるようにして操作量標示手段（即ち遊技再開時の目安）として機能することができるようにしてもよい。
換言すれば、ストッパは、操作量標示手段として機能するためには、ダイヤル（可動部）が初期位置に復帰した後も、一定時間の間は、最適位置にあったときのダイヤル６０２における第１指掛突起６０２Ｐ１の近傍に留まり、変移した様態（当該位置）を維持して目安となっていることが必要であるが、それ以降には、必ず元の位置に戻り、次の遊技者に目安として利用されないように構成されていることが望ましい。
【０２２７】
（９）また、以上の実施形態においては、操作量標示手段すなわちストッパ６１０や操作量表示部６２８が、遊技中断後に最適位置における様態が維持されるように構成されていたが、最適位置における様態だけでなく、これ以外の位置における様態も併せて、複数の位置における様態が維持される構成としてもよい。例えば、最適位置用の第１のストッパないし操作量表示部と、これ以外の位置用の第２のストッパないし操作量表示部とを設けるようにしてもよい。
【０２２８】
（１０）また、例えば図５８および図５９に示すように、ストッパをさらに容易に元の位置に戻し得る構成としてもよい。図５８はこのようなストッパの一例を示す斜視図、図５９はその分解斜視図である。
【０２２９】
同図に示すストッパ６３３は、レバー部材６３４の構成を除けば、前記図５１ないし図５３に示す実施形態のストッパ６２０と全く同様の構成となっており、このため、前記と同様の部材ないし部位には同一の符号を付し、その説明は省略する。
【０２３０】
本実施形態のストッパ６３３におけるレバー部材６３４は、前記実施形態のストッパ６２０におけるレバー部材６２３よりも長く形成され、先端部がダイヤル６０２の周面上に重なりながら前方に延出して、その先端がダイヤル６０２の前側端縁の位置まで達するようになっている。なお、該レバー部材６３４の基部には、前記実施形態のレバー部材６２３における切欠６２３Ｃと同様の切欠６３４Ｃが形成されている。
【０２３１】
本実施形態のストッパ６３３は、ダイヤル６０２が初期位置から操作位置へ時計回り方向に回動する際には、前記実施形態の場合と全く同様に、ダイヤル６０２に引き摺られるようにして摺動（スライド）することによりダイヤル６０２に連動するが、一方、ダイヤル６０２が操作位置から初期位置へ復帰するよう反時計回り方向に回動する際には、前記実施形態の場合とは異なって、レバー部材６３４を別操作により操作しなくても、該レバー部材６３４がダイヤル６０２における指掛突起６０２Ｐの指掛面６０２Ｅに当接して左方に押圧される。これにより、前記実施形態のストッパ６２０の場合と同様に摩擦力調節機構が機能して摩擦力が大幅に軽減され、ストッパ６３３が小さい力で容易に摺動（スライド）させることが可能な状態となる。この状態で、レバー部材６３４がダイヤル６０２における指掛突起６０２Ｐにより引き続き左方に押圧されることにより、ストッパ６３３がダイヤル６０２に連動して摺動（スライド）し元の位置へ復帰することとなる。
【０２３２】
本実施形態のストッパ６３３によれば、ダイヤル６０２が、操作位置から初期位置へ復帰する途上で、摩擦力調節機構を構成するレバー部材６３４に当接してストッパ６３３と周壁状レール６１４との間の摩擦力を小とするように操作するとともにストッパ６３３を元の位置に復帰する方向に押圧して駆動するので、ダイヤル６０２の復帰動作によって摩擦力調節機構の操作およびストッパ６３３の駆動が同時になされることとなり、したがって、ストッパ６３３をより効率的かつ容易に元の位置に復帰させることができる。
【０２３３】
ただし、本実施形態のストッパ６３３の場合、ダイヤル６０２が初期位置へ復帰すると、これに連動してストッパ６３３が元の位置に復帰する構成となっているので、操作量標示手段としては機能せず、専ら操作位置固定手段として有用なものとなっている。
【０２３４】
なお、本実施形態のストッパ６３３においては、前記図５１ないし図５３に示す実施形態のストッパ６２０の場合と同様に、例えば図５４に示すような、ストッパを元の位置に復帰させる方向に付勢する付勢手段を設けるようにすると、ストッパ６３３をさらに容易に元の位置に戻すことができる。
【０２３５】
（１１）また、以上の実施形態で例示したストッパ６１０、６２０、６３３はいずれも、ダイヤル６０２が初期位置から操作位置へ移動するのに連動して該ダイヤル６０２の第１指掛突起６０２Ｐ１の近傍まで移動する構成となっていたが、ダイヤル（可動部）に連動せず別操作により手動ないしモータ等の駆動手段で駆動して移動するストッパ（操作量標示手段ないし操作位置固定手段）としてもよく、これによれば、ストッパを操作する手間が増えるものの、例えばストッパを必要時（遊技を中断するとき、手に疲労を感じたとき等）にのみダイヤル６０２の第１指掛突起６０２Ｐ１の近傍まで移動するようにして、不要時には徒に最適位置の目安を残すことができるだけないようにするといった使用方法も可能である。またこれと同様に、例えば前記図５５および図５６に示すような電気的表示装置による操作量標示手段とする場合にも、ダイヤル（可動部）に連動せず例えばスイッチを押す等の別操作により表示を行う構成としてもよい。
【０２３６】
（１２）また、操作位置固定手段としては、ダイヤル（可動部）の移動範囲に対応する範囲内を移動する前記ストッパ６１０、６２０、６３３のようなもの以外にも、例えば図６０に示すように、所定の位置に不動に固定されたものとしてもよい。同図に示す例においては、ダイヤル６３５の後側に、該ダイヤル６３５の周縁に沿って複数の指止突起６３６が並ぶように形成されている。この例においては、ダイヤル６３５を最適位置に合わせた状態で、該ダイヤル６３５における第１指掛突起６３５Ｐ１の近傍に位置する指止突起６３６の間に指を差し入れるようにすることにより、ダイヤル６３５を指を介して指止突起６３６に掛止することができる。この場合、指止突起６３６が固定されていて動かすことができなくても、指のかけ方（位置、角度等）により微調整しながらダイヤル６３５の操作位置に対応することは容易である。換言すれば、ダイヤル（可動部）を最適位置で把持した状態で、操作位置固定手段が指をかけることが可能な近傍の位置にあれば、操作位置固定手段として所要の機能を果たすことができるともいうことができる。ただし、操作位置固定手段自体を任意の操作位置に対応させ得るようにする上では、前記実施形態におけるストッパ６１０、６２０、６３３のように操作位置固定手段を可動とするほうが有利である。
【０２３７】
また本実施形態の場合、指止突起６３６は所定の位置に不動に固定されているので、目盛のようなものとしては機能し得るものの、操作量標示手段としては機能せず、専ら操作位置固定手段として有用なものとなっている。
【０２３８】
（１３）また、例えば、前記実施形態におけるダイヤル６０２の指掛面（作用面）６０２Ｅおよびストッパ６１０の指置面（支承面）６１０Ｅの少なくとも一方にさらに突起等の構造物やゴム弾性材等の滑り止めを設け、これにより指などをさらに安定に支持し得るようにしてもよい。
【０２３９】
（１４）また、前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【産業上の利用可能性】
【０２４０】
本発明は、操作ハンドル等の操作手段を備える遊技機であれば広汎に実施することが可能である。
【図面の簡単な説明】
【０２４１】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機の外枠から内枠を開き、内枠からセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ケースを連結取付台座部材から外した状態の斜視図である。
【図１０】本発明にかかる遊技機の一例であるパチンコ機の遊技盤の裏面の第１基板ケースを連結取付台座部材ごと外した状態の右側面図である。
【図１１】本発明にかかる遊技機の一例であるパチンコ機の遊技盤の裏面の第１基板ケースを連結取付台座部材から外し、連結取付台座部材を開放した状態の斜視図である。
【図１２】本発明にかかる遊技機の一例であるパチンコ機の遊技盤の裏面の第１基板ケースおよび連結取付台座部材をそれぞれ外した状態の斜視図である。
【図１３】本発明にかかる遊技機の一例であるパチンコ機の遊技盤の裏面の第１基板ケースを開放した状態の斜視図である。
【図１４】本発明にかかる遊技機の一例であるパチンコ機の遊技盤の裏面の第１基板ケースを外し、カバー部材を開放した状態の斜視図である。
【図１５】破断ネジの一例を示す正面図である。
【図１６】本発明にかかる遊技機の一例であるパチンコ機の遊技盤の裏面の第１基板ケース、連結取付台座部材、カバー部材および球集合板を外して分解した状態の斜視図である。
【図１７】本発明にかかる遊技機の一例であるパチンコ機の遊技盤の裏面の第１基板ケースおよび連結取付台座部材を外して分解した状態の斜視図である。
【図１８】本発明にかかる遊技機の一例であるパチンコ機の第１基板ケースに連結台座部材を取り付けた状態の斜視図である。
【図１９】本発明にかかる遊技機の一例であるパチンコ機の遊技盤から球集合板、開閉機構、連結取付台座部材を取り付けた第１基板ケースを分離した状態の分解斜視図である。
【図２０】カバー部材の封止構造を示す拡大図である。
【図２１】本発明にかかる遊技機の一例であるパチンコ機の遊技盤の裏面の第１基板ケースを連結取付台座部材ごと外し、さらにカバー部材ごと球集合板を外した状態の斜視図である。
【図２２】本発明にかかる遊技機の一例であるパチンコ機の遊技盤の裏面の第１基板ケースおよびカバー部材を取り付けた球集合板を外した状態の斜視図である。
【図２３】本発明にかかる遊技機の一例であるパチンコ機の遊技盤の裏面の斜視図である。
【図２４】本発明にかかる遊技機の一例であるパチンコ機の遊技盤の裏面に、別の実施態様にかかるカバー部材を設け、第１基板ケースおよび連結取付台座部材をそれぞれ外し、カバー部材を開放した状態の斜視図である。
【図２５】本発明にかかる遊技機の一例であるパチンコ機の操作ハンドル（操作手段）の正面図である。
【図２６】本発明にかかる遊技機の一例であるパチンコ機の操作ハンドル（操作手段）の背面図である。
【図２７】本発明にかかる遊技機の一例であるパチンコ機の操作ハンドル（操作手段）の平面図である。
【図２８】本発明にかかる遊技機の一例であるパチンコ機の操作ハンドル（操作手段）の底面図である。
【図２９】本発明にかかる遊技機の一例であるパチンコ機の操作ハンドル（操作手段）の右側面図である。
【図３０】本発明にかかる遊技機の一例であるパチンコ機の操作ハンドル（操作手段）の左側面図である。
【図３１】本発明にかかる遊技機の一例であるパチンコ機の操作ハンドル（操作手段）の左前側からみた斜視図である。
【図３２】本発明にかかる遊技機の一例であるパチンコ機の操作ハンドル（操作手段）の右前側からみた斜視図である。
【図３３】本発明にかかる遊技機の一例であるパチンコ機の操作ハンドル（操作手段）の右後側からみた斜視図である。
【図３４】本発明にかかる遊技機の一例であるパチンコ機の操作ハンドル（操作手段）の左後側からみた斜視図である。
【図３５】本発明にかかる遊技機の一例であるパチンコ機の操作ハンドル（操作手段）における基軸部の正面図である。
【図３６】本発明にかかる遊技機の一例であるパチンコ機の操作ハンドル（操作手段）における基軸部の背面図である。
【図３７】本発明にかかる遊技機の一例であるパチンコ機の操作ハンドル（操作手段）における基軸部の平面図である。
【図３８】本発明にかかる遊技機の一例であるパチンコ機の操作ハンドル（操作手段）における基軸部の底面図である。
【図３９】本発明にかかる遊技機の一例であるパチンコ機の操作ハンドル（操作手段）における基軸部の右側面図である。
【図４０】本発明にかかる遊技機の一例であるパチンコ機の操作ハンドル（操作手段）における基軸部の左側面図である。
【図４１】本発明にかかる遊技機の一例であるパチンコ機の操作ハンドル（操作手段）における基軸部の左前側からみた斜視図である。
【図４２】本発明にかかる遊技機の一例であるパチンコ機の操作ハンドル（操作手段）における基軸部の右前側からみた斜視図である。
【図４３】本発明にかかる遊技機の一例であるパチンコ機の操作ハンドル（操作手段）の左前側からみた分解斜視図である。
【図４４】本発明にかかる遊技機の一例であるパチンコ機の操作ハンドル（操作手段）の左後側からみた分解斜視図である。
【図４５】本発明にかかる遊技機の一例であるパチンコ機の操作ハンドル（操作手段）におけるダイヤル（可動部）およびキャップの右後側からみた斜視図である。
【図４６】本発明にかかる遊技機の一例であるパチンコ機の操作ハンドル（操作手段）におけるストッパ（操作量標示手段／操作位置固定手段）の取付状況を示す部分正面図である。
【図４７】図４６のＡ−Ａ線部断面図である。
【図４８】本発明にかかる遊技機の一例であるパチンコ機の操作ハンドル（操作手段）の操作方法の一例（遊技開始段階）を示す図である。
【図４９】本発明にかかる遊技機の一例であるパチンコ機の操作ハンドル（操作手段）の操作方法の一例（遊技中および遊技中断段階）を示す図である。
【図５０】本発明にかかる遊技機の一例であるパチンコ機の操作ハンドル（操作手段）の操作方法の一例（遊技再開段階）を示す図である。
【図５１】本発明にかかる遊技機の一例であるパチンコ機の操作ハンドル（操作手段）におけるストッパ（操作量標示手段／操作位置固定手段）の他の例を示す斜視図である。
【図５２】図５１のストッパ（操作量標示手段／操作位置固定手段）の分解斜視図である。
【図５３】図５１のストッパ（操作量標示手段／操作位置固定手段）の作用を説明する模式図である。
【図５４】図５１のストッパ（操作量標示手段／操作位置固定手段）に付勢手段を設けた例を示す模式図である。
【図５５】本発明にかかる遊技機の一例であるパチンコ機の操作ハンドル（操作手段）に、他の実施形態にかかる操作量標示手段を設けた状況を示す正面図である。
【図５６】図５５の操作ハンドル（操作手段）の操作状況を示す正面図である。
【図５７】本発明にかかる遊技機の一例であるパチンコ機の操作ハンドル（操作手段）を、遊技球発射ハンドル以外の操作手段として適用した例を示す模式図である。
【図５８】本発明にかかる遊技機の一例であるパチンコ機の操作ハンドル（操作手段）におけるストッパ（操作位置固定手段）の他の例を示す斜視図である。
【図５９】図５８のストッパ（操作位置固定手段）の分解斜視図である。
【図６０】本発明にかかる遊技機の一例であるパチンコ機の操作ハンドル（操作手段）に、他の実施形態にかかる操作位置固定手段を設けた状況を示す正面図である。
【符号の説明】
【０２４２】
１８：操作ハンドル（操作手段）
６０２：ダイヤル（可動部）
６１０：ストッパ（操作量標示手段）
【図１】
2010099301.tif 000003
【図２】
2010099301.tif 000004
【図３】
2010099301.tif 000005
【図４】
2010099301.tif 000006
【図５】
2010099301.tif 000007
【図６】
2010099301.tif 000008
【図７】
2010099301.tif 000009
【図８】
2010099301.tif 000010
【図９】
2010099301.tif 000011
【図１０】
2010099301.tif 000012
【図１１】
2010099301.tif 000013
【図１２】
2010099301.tif 000014
【図１３】
2010099301.tif 000015
【図１４】
2010099301.tif 000016
【図１５】
2010099301.tif 000017
【図１６】
2010099301.tif 000018
【図１７】
2010099301.tif 000019
【図１８】
2010099301.tif 000020
【図１９】
2010099301.tif 000021
【図２０】
2010099301.tif 000022
【図２１】
2010099301.tif 000023
【図２２】
2010099301.tif 000024
【図２３】
2010099301.tif 000025
【図２４】
2010099301.tif 000026
【図２５】
2010099301.tif 000027
【図２６】
2010099301.tif 000028
【図２７】
2010099301.tif 000029
【図２８】
2010099301.tif 000030
【図２９】
2010099301.tif 000031
【図３０】
2010099301.tif 000032
【図３１】
2010099301.tif 000033
【図３２】
2010099301.tif 000034
【図３３】
2010099301.tif 000035
【図３４】
2010099301.tif 000036
【図３５】
2010099301.tif 000037
【図３６】
2010099301.tif 000038
【図３７】
2010099301.tif 000039
【図３８】
2010099301.tif 000040
【図３９】
2010099301.tif 000041
【図４０】
2010099301.tif 000042
【図４１】
2010099301.tif 000043
【図４２】
2010099301.tif 000044
【図４３】
2010099301.tif 000045
【図４４】
2010099301.tif 000046
【図４５】
2010099301.tif 000047
【図４６】
2010099301.tif 000048
【図４７】
2010099301.tif 000049
【図４８】
2010099301.tif 000050
【図４９】
2010099301.tif 000051
【図５０】
2010099301.tif 000052
【図５１】
2010099301.tif 000053
【図５２】
2010099301.tif 000054
【図５３】
2010099301.tif 000055
【図５４】
2010099301.tif 000056
【図５５】
2010099301.tif 000057
【図５６】
2010099301.tif 000058
【図５７】
2010099301.tif 000059
【図５８】
2010099301.tif 000060
【図５９】
2010099301.tif 000061
【図６０】
2010099301.tif 000062